(57)【要約】【課題】本発明はタオル脱水マシンを開示した。【解決手段】地面に固定的に設置される絞り箱を含み、前記絞り箱の中には折畳チャンバが設置され、前記折畳チャンバの上端には進入溝が連通して設置され、前記進入溝の中にタオルを入れることができ、前記折畳チャンバの下端には下端伝動チャンバが設けられ、前記下端伝動チャンバの左右両端には傘歯車伝動チャンバが対称的に設置され、対称の前記傘歯車伝動チャンバと前記下端伝動チャンバの中にはメイン伝動部品が設けられ、前記メイン伝動部品が設備全体の連係運転を制御しており、これによりタオルの脱水を順次行わせ、本発明設備は構造が簡単で、使用が便利であり、装置はタオルの存在を自動的に感応でき更に起動し、タオルを折り畳み、同時にタオルをきつく挟む。【選択図】図１
2020171637.tif 000002
【特許請求の範囲】
【請求項１】
地面に固定的に設置される絞り箱を含み、前記絞り箱の中には折畳チャンバが設置され、前記折畳チャンバの上端には進入溝が連通して設置され、前記進入溝の中にタオルを入れることができ、前記折畳チャンバの下端には下端伝動チャンバが設けられ、前記下端伝動チャンバの左右両端には傘歯車伝動チャンバが対称的に設置され、対称の前記傘歯車伝動チャンバと前記下端伝動チャンバの中にはメイン伝動部品が設けられ、前記メイン伝動部品が設備全体の連係運転を制御しており、これによりタオルの脱水を順次行わせ、前記折畳チャンバと前記下端伝動チャンバの中には絞り部品が設けられ、前記絞り部品が入ったタオルを絞ることができ、脱水の機能を果たし、左端の前記傘歯車伝動チャンバの上端には前記絞り箱の中に位置する左摩擦チャンバが設けられ、右端の前記傘歯車伝動チャンバの上端には右摩擦チャンバが設けられ、前記左摩擦チャンバと前記右摩擦チャンバの中には伝動部品が設けられ、前記伝動部品が設備の運転している時に需要に応じて順次作動することができ、設備の運転を平穏且つ規則化にさせ、前記左摩擦チャンバの上端には歯車伝動チャンバが設けられ、前記歯車伝動チャンバの上端には積載ブロックチャンバが連通して設置され、前記歯車伝動チャンバと、前記折畳チャンバと前記積載ブロックチャンバの中には折畳部品が設けられ、前記折畳部品が前記タオルを前記絞り部品の中に入れることができ、前記右摩擦チャンバの上端には前記絞り箱の中に位置するタービン羽根チャンバが設けられ、前記折畳チャンバと、前記タービン羽根チャンバと前記右摩擦チャンバの中には折畳補助部品が設けられ、前記折畳補助部品が前記折畳部品の折畳に補助でき、これにより前記タオルを前記絞り部品の中に進入させ、また、前記右摩擦チャンバの中には絞り駆動部品が設けられ、前記絞り駆動部品が前記絞り部品の回転を駆動でき、前記タオルを絞り上げることを特徴とするタオル脱水マシン。
【請求項２】
前記メイン伝動部品は左端の前記傘歯車伝動チャンバの左端壁の中に植設される回転モータを含み、前記回転モータの出力軸の右端には順次に左側の前記傘歯車伝動チャンバ、前記下端伝動チャンバ、右側の前記傘歯車伝動チャンバを経由し、且つ各チャンバの内壁と回転できるように連結される横軸が連結され、前記横軸にはそれぞれ左右両側の前記傘歯車伝動チャンバの中に位置する受動傘歯車が左右対称的に設置され、前記絞り部品が前記下端伝動チャンバの下端壁と回転できるように連結される下端回転軸を含み、前記下端回転軸には前記横軸と噛み合うタービン羽根伝動ブロックが固定的に設置され、前記下端回転軸の上端には前記絞り箱とスライドできるように連結され、且つ上端が前記折畳チャンバの中へ挿入されるねじ山付プッシュブロックがねじ山によって連結され、前記折畳チャンバの左右端壁の間には安定スライダがスライドできるように設置され、前記安定スライダの中には回転ブロックが回転できるように連結され、前記回転ブロックの円周側の弧状端面には環状ギヤが固定的に連結され、前記回転ブロックの中には上方に開口した挿入チャンバが設置され、前記挿入チャンバにはばね固定チャンバが連通して矩形陳列に設置され、前記挿入チャンバの前後端壁の間には左右対称の押圧ブロックがスライドできるように連結され、前記押圧ブロックのうち前記挿入チャンバから離れている一端と、前記ばね固定チャンバとの間がばねにより連結され、前記押圧ブロックの下端面が前記ねじ山付プッシュブロックの上端面と当接することを特徴とする請求項１に記載のタオル脱水マシン。
【請求項３】
前記伝動部品は前記受動傘歯車の上端面と噛み合うサブ受動傘歯車を含み、左右対称的に設置されるサブ受動傘歯車の上端にはそれぞれ前記左摩擦チャンバ及び前記右摩擦チャンバの中に挿入される短軸が固定的に設置され、前記短軸にはスプラインが固定的に設置され、前記左摩擦チャンバ又は前記右摩擦チャンバの中の前記スプラインにはそれぞれ前記左摩擦チャンバ又は前記右摩擦チャンバの左右端壁とねじ山によって連結される雄ねじブロックが噛合、前記雄ねじブロックの上端面には下摩擦ブロックが固定的に設置され、前記下摩擦ブロックの上端には前記左摩擦チャンバの中に位置する上摩擦ブロックが設置され、前記折畳部品が左端の前記上摩擦ブロックに固定的に設置されるねじりばね固定軸を含み、前記ねじりばね固定軸の上端が前記歯車伝動チャンバの中に挿入され、且つ噛合傘歯車と固定的に連結され、前記ねじりばね固定軸と前記左摩擦チャンバの上端壁との間にはねじりばねが設置され、前記噛合傘歯車の上端には前記歯車伝動チャンバの中で回転できる垂直傘歯車が噛合、前記垂直傘歯車の前端には前記歯車伝動チャンバの中で回転できる転がり歯車が同軸によって連結され、前記転がり歯車の上端には積載ブロックが噛み合って連結され、前記積載ブロックの左端には前記積載ブロックチャンバの左端面に固定的に設置される安定レバーがスライドできるように連結され、前記積載ブロックの中にはチャンバが固定的に設置され、前記チャンバの左端壁にはシリンダーが植設され、前記シリンダーの出力軸の右端には前記チャンバの端壁とスライドできるように連結されるシリンダープッシュブロックが固定的に設置され、前記シリンダープッシュブロックの右端にはプッシュレバーが上下対称的で固定的に設置され、前記プッシュレバーの右端が前記積載ブロックの右側端面外まで伸びており、且つ前記折畳チャンバの中でスライドできるスライダと固定的に連結され、前記積載ブロックの右端壁には前記スライダとスライドできるように連結される固定レバーが固定的に設置され、前記固定レバーの右端面には固定ブロックが固定的に設置され、前記固定ブロックには折畳レバーが上下対称的に、且つ回転できるように連結され、前記折畳レバーと前記スライダとの間にはスイングレバーが回転できるように連結されることを特徴とする請求項１に記載のタオル脱水マシン。
【請求項４】
前記折畳補助部品は前記右摩擦チャンバの中に位置する上摩擦ブロックを含み、前記上摩擦ブロックの上端には前記タービン羽根チャンバに回転しながら挿入され、且つ前記タービン羽根の上端壁と回転できるように連結されるねじりばねタービン軸が固定的に設置され、前記ねじりばねと前記タービンはねチャンバの上端壁との間にはねじりばねが設置され、前記ねじりばねタービン軸と前記タービン羽根チャンバの上端壁との間にはねじりばねが設置され、前記ねじりばねタービン軸には前記タービン羽根チャンバの右端壁と回転できるように連結されるタービン羽根ブロックが噛合、前記タービン羽根ブロックの右端には左端が前記折畳チャンバの中に挿入されるガイドレバーがねじ山によって連結され、
使用する時、前記折畳補助部品は前記折畳部品を補助して前記タオルを折り畳み、絞ることを必要となる時、前記タービン羽根ブロックが前記ガイドレバーを駆動して右へ運動させることを特徴とする請求項１に記載のタオル脱水マシン。
【請求項５】
前記絞り駆動部品は前記ねじりばねタービン軸に固定的に設置される主動歯車を含み、前記主動歯車が前記右摩擦チャンバの中に位置し、前記主動歯車の左端には前記右摩擦チャンバの端壁と回転できるように連結される受動歯車が噛み合うことを特徴とする請求項１に記載のタオル脱水マシン。
【発明の詳細な説明】
【技術分野】
【０００１】
本発明は脱水分野に関し、具体的にはタオル脱水マシンに関する。
【背景技術】
【０００２】
高級感を持つホテルの飲食業においては、清潔面を考慮すると、常時熱いタオルを提供しており、需要が極めて大きい。しかし、顧客に手と口などを拭き心地のいいタオルを提供するために、一般には、タオルをお湯に浸け、しばらくタオルをお湯から取り出して絞るという流れである。そういう方法は、お湯の温度が高いため、やけどしやすい上に時間もかかる。以上の問題を解決するために、自動化のタオル絞りマシンがかなり必要である。
【先行技術文献】
【特許文献】
【０００３】
【特許文献１】中国特許出願公開第１０７１６６８８５号明細書
【発明の概要】
【発明が解決しようとする課題】
【０００４】
本発明の目的はタオル脱水マシンを提供し、既存の技術にある上記の欠陥を補うことにある。
【課題を解決するための手段】
【０００５】
本発明のタオル脱水マシンは、地面に固定的に設置される絞り箱を含み、前記絞り箱の中には折畳チャンバが設置され、前記折畳チャンバの上端には進入溝が連通して設置され、前記進入溝の中にタオルを入れることができ、前記折畳チャンバの下端には下端伝動チャンバが設けられ、前記下端伝動チャンバの左右両端には傘歯車伝動チャンバが対称的に設置され、対称の前記傘歯車伝動チャンバと前記下端伝動チャンバの中にはメイン伝動部品が設けられ、前記メイン伝動部品が設備全体の連係運転を制御しており、これによりタオルの脱水を順次行わせ、前記折畳チャンバと前記下端伝動チャンバの中には絞り部品が設けられ、前記絞り部品が入ったタオルを絞ることができ、脱水の機能を果たし、左端の前記傘歯車伝動チャンバの上端には前記絞り箱の中に位置する左摩擦チャンバが設けられ、右端の前記傘歯車伝動チャンバの上端には右摩擦チャンバが設けられ、前記左摩擦チャンバと前記右摩擦チャンバの中には伝動部品が設けられ、前記伝動部品が設備の運転している時に需要に応じて順次作動することができ、設備の運転を平穏且つ規則化にさせ、前記左摩擦チャンバの上端には歯車伝動チャンバが設けられ、前記歯車伝動チャンバの上端には積載ブロックチャンバが連通して設置され、前記歯車伝動チャンバと、前記折畳チャンバと前記積載ブロックチャンバの中には折畳部品が設けられ、前記折畳部品が前記タオルを前記絞り部品の中に入れることができ、前記右摩擦チャンバの上端には前記絞り箱の中に位置するタービン羽根チャンバが設けられ、前記折畳チャンバと、前記タービン羽根チャンバと前記右摩擦チャンバの中には折畳補助部品が設けられ、前記折畳補助部品が前記折畳部品の折畳に補助でき、これにより前記タオルを前記絞り部品の中に進入させ、また、前記右摩擦チャンバの中には絞り駆動部品が設けられ、前記絞り駆動部品が前記絞り部品の回転を駆動でき、前記タオルを絞り上げる。
【０００６】
さらなる技術プランとして、前記メイン伝動部品は左端の前記傘歯車伝動チャンバの左端壁の中に植設される回転モータを含み、前記回転モータの出力軸の右端には順次に左側の前記傘歯車伝動チャンバ、前記下端伝動チャンバ、右側の前記傘歯車伝動チャンバを経由し、且つ各チャンバの内壁と回転できるように連結される横軸が連結され、前記横軸にはそれぞれ左右両側の前記傘歯車伝動チャンバの中に位置する受動傘歯車が左右対称的に設置され、前記絞り部品が前記下端伝動チャンバの下端壁と回転できるように連結される下端回転軸を含み、前記下端回転軸には前記横軸と噛み合うタービン羽根伝動ブロックが固定的に設置され、前記下端回転軸の上端には前記絞り箱とスライドできるように連結され、且つ上端が前記折畳チャンバの中へ挿入されるねじ山付プッシュブロックがねじ山によって連結され、前記折畳チャンバの左右端壁の間には安定スライダがスライドできるように設置され、前記安定スライダの中には回転ブロックが回転できるように連結され、前記回転ブロックの円周側の弧状端面には環状ギヤが固定的に連結され、前記回転ブロックの中には上方に開口した挿入チャンバが設置され、前記挿入チャンバにはばね固定チャンバが連通して矩形陳列に設置され、前記挿入チャンバの前後端壁の間には左右対称の押圧ブロックがスライドできるように連結され、前記押圧ブロックのうち前記挿入チャンバから離れている一端と、前記ばね固定チャンバとの間がばねにより連結され、前記押圧ブロックの下端面が前記ねじ山付プッシュブロックの上端面と当接する。
【０００７】
さらなる技術プランとして、前記伝動部品は前記受動傘歯車の上端面と噛み合うサブ受動傘歯車を含み、左右対称的に設置されるサブ受動傘歯車の上端にはそれぞれ前記左摩擦チャンバ及び前記右摩擦チャンバの中に挿入される短軸が固定的に設置され、前記短軸にはスプラインが固定的に設置され、前記左摩擦チャンバ又は前記右摩擦チャンバの中の前記スプラインにはそれぞれ前記左摩擦チャンバ又は前記右摩擦チャンバの左右端壁とねじ山によって連結される雄ねじブロックが噛合、前記雄ねじブロックの上端面には下摩擦ブロックが固定的に設置され、前記下摩擦ブロックの上端には前記左摩擦チャンバの中に位置する上摩擦ブロックが設置され、前記折畳部品が左端の前記上摩擦ブロックに固定的に設置されるねじりばね固定軸を含み、前記ねじりばね固定軸の上端が前記歯車伝動チャンバの中に挿入され、且つ噛合傘歯車と固定的に連結され、前記ねじりばね固定軸と前記左摩擦チャンバの上端壁との間にはねじりばねが設置され、前記噛合傘歯車の上端には前記歯車伝動チャンバの中で回転できる垂直傘歯車が噛合、前記垂直傘歯車の前端には前記歯車伝動チャンバの中で回転できる転がり歯車が同軸によって連結され、前記転がり歯車の上端には積載ブロックが噛み合って連結され、前記積載ブロックの左端には前記積載ブロックチャンバの左端面に固定的に設置される安定レバーがスライドできるように連結され、前記積載ブロックの中にはチャンバが固定的に設置され、前記チャンバの左端壁にはシリンダーが植設され、前記シリンダーの出力軸の右端には前記チャンバの端壁とスライドできるように連結されるシリンダープッシュブロックが固定的に設置され、前記シリンダープッシュブロックの右端にはプッシュレバーが上下対称的で固定的に設置され、前記プッシュレバーの右端が前記積載ブロックの右側端面外まで伸びており、且つ前記折畳チャンバの中でスライドできるスライダと固定的に連結され、前記積載ブロックの右端壁には前記スライダとスライドできるように連結される固定レバーが固定的に設置され、前記固定レバーの右端面には固定ブロックが固定的に設置され、前記固定ブロックには折畳レバーが上下対称的に、且つ回転できるように連結され、前記折畳レバーと前記スライダとの間にはスイングレバーが回転できるように連結される。
【０００８】
さらなる技術プランとして、前記折畳補助部品は前記右摩擦チャンバの中に位置する上摩擦ブロックを含み、前記上摩擦ブロックの上端には前記タービン羽根チャンバに回転しながら挿入され、且つ前記タービン羽根の上端壁と回転できるように連結されるねじりばねタービン軸が固定的に設置され、前記ねじりばねと前記タービンはねチャンバの上端壁との間にはねじりばねが設置され、前記ねじりばねタービン軸と前記タービン羽根チャンバの上端壁との間にはねじりばねが設置され、前記ねじりばねタービン軸には前記タービン羽根チャンバの右端壁と回転できるように連結されるタービン羽根ブロックが噛合、前記タービン羽根ブロックの右端には左端が前記折畳チャンバの中に挿入されるガイドレバーがねじ山によって連結され、
使用する時、前記折畳補助部品は前記折畳部品を補助して前記タオルを折り畳み、絞ることを必要となる時、前記タービン羽根ブロックが前記ガイドレバーを駆動して右へ運動させる。
【０００９】
さらなる技術プランとして、前記絞り駆動部品は前記ねじりばねタービン軸に固定的に設置される主動歯車を含み、前記主動歯車が前記右摩擦チャンバの中に位置し、前記主動歯車の左端には前記右摩擦チャンバの端壁と回転できるように連結される受動歯車が噛み合う。
【発明の効果】
【００１０】
本発明の有益効果は：本発明設備は構造が簡単で、使用が便利であり、タオルを装置に放置する時、装置はタオルの存在を自動的に感応でき更に起動し、タオルを折り畳み、同時にタオルをきつく挟み、その後回転によりタオルの水分を取り除き、タオルを絞り上げた後に設備が逆方向に運動し、設備を再び初期位置に戻らせ、今度の使用に便利を与え、設備の安定性を効果的に増加する。
【図面の簡単な説明】
【００１１】
【図１】図１は本発明のタオル脱水マシンの全体構造概略図
【図２】図２は図１のＡの拡大構造概略図
【図３】図３は図１のＢの拡大構造概略図
【図４】図４は図２のＣ−Ｃ方向の構造概略図
【図５】図５は図３のＤ−Ｄ方向の構造概略図
【発明を実施するための形態】
【００１２】
下記に図１〜５を合わせて本発明について詳しく説明する。意思疎通の便利を図って、下記に記載の上下左右前後方向は図１の投影関係の上下左右前後方向と一致している。
【００１３】
図１〜５に示すように、本発明のタオル脱水マシンは、地面に固定的に設置される絞り箱１００を含み、前記絞り箱１００の中には折畳チャンバ１１６が設置され、前記折畳チャンバ１１６の上端には進入溝１１４が連通して設置され、前記進入溝１１４の中にタオル１１５を入れることができ、前記折畳チャンバ１１６の下端には下端伝動チャンバ１４６が設けられ、前記下端伝動チャンバ１４６の左右両端には傘歯車伝動チャンバ１２３が対称的に設置され、対称の前記傘歯車伝動チャンバ１２３と前記下端伝動チャンバ１４６の中にはメイン伝動部品が設けられ、前記メイン伝動部品が設備全体の連係運転を制御しており、これによりタオルの脱水を順次行わせ、前記折畳チャンバ１１６と前記下端伝動チャンバ１４６の中には絞り部品が設けられ、前記絞り部品が入ったタオルを絞ることができ、脱水の機能を果たし、左端の前記傘歯車伝動チャンバ１２３の上端には前記絞り箱１００の中に位置する左摩擦チャンバ１０８が設けられ、右端の前記傘歯車伝動チャンバ１２３の上端には右摩擦チャンバ１５２が設けられ、前記左摩擦チャンバ１０８と前記右摩擦チャンバ１５２の中には伝動部品が設けられ、前記伝動部品が設備の運転している時に需要に応じて順次作動することができ、設備の運転を平穏且つ規則化にさせ、前記左摩擦チャンバ１０８の上端には歯車伝動チャンバ１１０が設けられ、前記歯車伝動チャンバ１１０の上端には積載ブロックチャンバ１２６が連通して設置され、前記歯車伝動チャンバ１１０と、前記折畳チャンバ１１６と前記積載ブロックチャンバ１２６の中には折畳部品が設けられ、前記折畳部品が前記タオル１１５を前記絞り部品の中に入れることができ、前記右摩擦チャンバ１５２の上端には前記絞り箱１００の中に位置するタービン羽根チャンバ１１９が設けられ、前記折畳チャンバ１１６と、前記タービン羽根チャンバ１１９と前記右摩擦チャンバ１５２の中には折畳補助部品が設けられ、前記折畳補助部品が前記折畳部品の折畳に補助でき、これにより前記タオル１１５を前記絞り部品の中に進入させ、また、前記右摩擦チャンバ１５２の中には絞り駆動部品が設けられ、前記絞り駆動部品が前記絞り部品の回転を駆動でき、前記タオル１１５を絞り上げる。
【００１４】
有益なまた例を示すように、前記メイン伝動部品は左端の前記傘歯車伝動チャンバ１２３の左端壁の中に植設される回転モータ１０１を含み、前記回転モータ１０１の出力軸の右端には順次に左側の前記傘歯車伝動チャンバ１２３、前記下端伝動チャンバ１４６、右側の前記傘歯車伝動チャンバ１２３を経由し、且つ各チャンバの内壁と回転できるように連結される横軸１３６が連結され、前記横軸１３６にはそれぞれ左右両側の前記傘歯車伝動チャンバ１２３の中に位置する受動傘歯車１２４が左右対称的に設置され、前記絞り部品が前記下端伝動チャンバ１４６の下端壁と回転できるように連結される下端回転軸１３５を含み、前記下端回転軸１３５には前記横軸１３６と噛み合うタービン羽根伝動ブロック１４２が固定的に設置され、前記下端回転軸１３５の上端には前記絞り箱１００とスライドできるように連結され、且つ上端が前記折畳チャンバ１１６の中へ挿入されるねじ山付プッシュブロック１４１がねじ山によって連結され、前記折畳チャンバ１１６の左右端壁の間には安定スライダ１３７がスライドできるように設置され、前記安定スライダ１３７の中には回転ブロック１３９が回転できるように連結され、前記回転ブロック１３９の円周側の弧状端面には環状ギヤ１４０が固定的に連結され、前記回転ブロック１３９の中には上方に開口した挿入チャンバ１５０が設置され、前記挿入チャンバ１５０にはばね固定チャンバ１４８が連通して矩形陳列に設置され、前記挿入チャンバ１５０の前後端壁の間には左右対称の押圧ブロック１５１がスライドできるように連結され、前記押圧ブロック１５１のうち前記挿入チャンバ１５０から離れている一端と、前記ばね固定チャンバ１４８との間がばねにより連結され、前記押圧ブロック１５１の下端面が前記ねじ山付プッシュブロック１４１の上端面と当接する。
【００１５】
有益なまた例を示すように、前記伝動部品は前記受動傘歯車１２４の上端面と噛み合うサブ受動傘歯車１０２を含み、左右対称的に設置されるサブ受動傘歯車１０２の上端にはそれぞれ前記左摩擦チャンバ１０８及び前記右摩擦チャンバ１５２の中に挿入される短軸１０３が固定的に設置され、前記短軸１０３にはスプライン１０４が固定的に設置され、前記左摩擦チャンバ１０８又は前記右摩擦チャンバ１５２の中の前記スプライン１０４にはそれぞれ前記左摩擦チャンバ１０８又は前記右摩擦チャンバ１５２の左右端壁とねじ山によって連結される雄ねじブロック１０５が噛合、前記雄ねじブロック１０５の上端面には下摩擦ブロック１０６が固定的に設置され、前記下摩擦ブロック１０６の上端には前記左摩擦チャンバ１０８の中に位置する上摩擦ブロック１０７が設置され、前記折畳部品が左端の前記上摩擦ブロック１０７に固定的に設置されるねじりばね固定軸１０９を含み、前記ねじりばね固定軸１０９の上端が前記歯車伝動チャンバ１１０の中に挿入され、且つ噛合傘歯車１１１と固定的に連結され、前記ねじりばね固定軸１０９と前記左摩擦チャンバ１０８の上端壁との間にはねじりばねが設置され、前記噛合傘歯車１１１の上端には前記歯車伝動チャンバ１１０の中で回転できる垂直傘歯車１１２が噛合、前記垂直傘歯車１１２の前端には前記歯車伝動チャンバ１１０の中で回転できる転がり歯車１１３が同軸によって連結され、前記転がり歯車１１３の上端には積載ブロック１２７が噛み合って連結され、前記積載ブロック１２７の左端には前記積載ブロックチャンバ１２６の左端面に固定的に設置される安定レバー１２５がスライドできるように連結され、前記積載ブロック１２７の中にはチャンバ１５３が固定的に設置され、前記チャンバ１５３の左端壁にはシリンダー１２８が植設され、前記シリンダー１２８の出力軸の右端には前記チャンバ１５３の端壁とスライドできるように連結されるシリンダープッシュブロック１２９が固定的に設置され、前記シリンダープッシュブロック１２９の右端にはプッシュレバー１３０が上下対称的で固定的に設置され、前記プッシュレバー１３０の右端が前記積載ブロック１２７の右側端面外まで伸びており、且つ前記折畳チャンバ１１６の中でスライドできるスライダ１３１と固定的に連結され、前記積載ブロック１２７の右端壁には前記スライダ１３１とスライドできるように連結される固定レバー１３４が固定的に設置され、前記固定レバー１３４の右端面には固定ブロック１３３が固定的に設置され、前記固定ブロック１３３には折畳レバー１３２が上下対称的に、且つ回転できるように連結され、前記折畳レバー１３２と前記スライダ１３１との間にはスイングレバー１４７が回転できるように連結される。
【００１６】
有益なまた例を示すように、前記折畳補助部品は前記右摩擦チャンバ１５２の中に位置する上摩擦ブロック１０７を含み、前記上摩擦ブロック１０７の上端には前記タービン羽根チャンバ１１９に回転しながら挿入され、且つ前記タービン羽根１１９の上端壁と回転できるように連結されるねじりばねタービン軸１１８が固定的に設置され、前記ねじりばね１１８と前記タービンはねチャンバ１１９の上端壁との間にはねじりばねが設置され、前記ねじりばねタービン軸１１８と前記タービン羽根チャンバ１１９の上端壁との間にはねじりばねが設置され、前記ねじりばねタービン軸１１８には前記タービン羽根チャンバ１１９の右端壁と回転できるように連結されるタービン羽根ブロック１２０が噛合、前記タービン羽根ブロック１２０の右端には左端が前記折畳チャンバ１１６の中に挿入されるガイドレバー１１７がねじ山によって連結され、
使用する時、前記折畳補助部品は前記折畳部品を補助して前記タオル１１５を折り畳み、絞ることを必要となる時、前記タービン羽根ブロック１２０が前記ガイドレバー１１７を駆動して右へ運動させる。
【００１７】
有益なまた例を示すように、前記絞り駆動部品は前記ねじりばねタービン軸１１８に固定的に設置される主動歯車１２１を含み、前記主動歯車１２１が前記右摩擦チャンバ１５２の中に位置し、前記主動歯車１２１の左端には前記右摩擦チャンバ１５２の端壁と回転できるように連結される受動歯車１２２が噛み合う。
【００１８】
本発明は初期状態の時、前記回転モータ１０１と前記シリンダー１２８が作動停止状態にあり、前記下摩擦ブロック１０６が前記左摩擦チャンバ１０８と前記右摩擦チャンバ１５２との下端に位置し、これにより上記構成を初期状態の時に最初の位置に位置させ、後続の作動中に調整でき、設備の作動協調度を効果的に高める。
【００１９】
設備が運転する時、前記タオル１５５の一端を前記進入溝１４４の中から下へ前記折畳チャンバ１１６の中に入れ、前記シリンダー１２８が作動し、前記シリンダープッシュブロック１２９を駆動して右へ運動させ、前記プッシュレバー１３０を右へ運動させる前記スライダ１３１が右へ運動し、これにより前記スイングレバー１４７が前記折畳レバー１３２を押し動かし、前記ガイドレバー１１７の遮断の補助により前記タオル１１５を折り畳み、前記回転モータ１０１が作動し、前記横軸１３６を駆動して回転させ、前記横軸１３６が前記タービン羽根伝動ブロック１４２を駆動して回転させ、前記タービン羽根伝動ブロック１４２が前記下端回転軸１３５を駆動して回転させ、これにより前記下端回転軸１３５とねじ山によって連結される前記ねじ山付プッシュブロック１４１を上へ運動させ、前記押圧ブロック１３８と、前記回転ブロック１３９と前記環状ギヤ１４０を押し動かして前記安定スライダ１３７の案内で上へ運動させ、折り畳んだ前記タオル１１５を前記挿入チャンバ１５０の中に進入して前記押圧ブロック１３８の間に位置させ、同時に、前記横軸１３６が左右対称の前記受動傘歯車１２４を駆動して回転させ、噛み合った前記サブ受動傘歯車１０２を回転させ、これにより前記スプライン１０４が前記雄ねじブロック１０５を駆動して回転させ、これにより前記雄ねじブロック１０５が回転しながら前記下摩擦ブロック１０６を駆動して上へ運動し前記上摩擦ブロック１０７と噛み合わせ、前記上摩擦ブロック１０７が回転し、前記ねじりばね固定軸１０９と前記噛合傘歯車１１１とを駆動して回転させ、前記垂直傘歯車１１２が運動を前記転がり歯車１１３に伝達し、前記転がり歯車１１３が前記積載ブロック１２７を駆動して左へスライドさせて前記折畳レバー１３２を前記タオル１１５から離脱し、同時に右端の前記右摩擦チャンバ１５２の中において、前記上摩擦ブロック１０７が前記ねじりばねタービン軸１１８を駆動して回転させ、これにより前記ねじりばねタービン軸１１８と噛み合う前記タービン羽根ブロック１２０を回転させ、前記タービン羽根１２０とねじ山によって連結される前記ガイドレバー１１７を駆動して右へスライドさせて前記タオル１１５から離脱し、同時に、前記ねじりばねタービン軸１１８が前記主動歯車１２１を駆動して回転させ、これにより前記主動歯車１２１と噛み合う前記受動歯車１２２を回転させ、前記受動歯車１２２が上へ運動している前記絞り部品のうち前記受動歯車１２２と噛み合う前記環状ギヤ１４０を駆動して回転させ、前記環状ギヤ１４０が前記回転ブロック１３９を駆動して回転させ、前記回転ブロック１３９が前記回転ブロック１３９とスライドできるように連結される前記押圧ブロック１３８を駆動して回転させ、これにより前記押圧ブロック１３８に挟まれている前記タオル１１５を回転させて絞り上げる。
【００２０】
以上に述べたのはただ本実用新型のより良い実施例で、本実用新型を限定することに使わないである。本実用新型の意義と原則のもとで行う全ての修正、同等の入れ替えと改善などは本実用新型の保護範囲に含まれる。
【図１】
2020171637.tif 000003
【図２】
2020171637.tif 000004
【図３】
2020171637.tif 000005
【図４】
2020171637.tif 000006
【図５】
2020171637.tif 000007
【手続補正書】
【提出日】令和1年6月13日(2019.6.13)
【手続補正１】
【補正対象書類名】特許請求の範囲
【補正対象項目名】全文
【補正方法】変更
【補正の内容】
【特許請求の範囲】
【請求項１】
地面に固定的に設置される絞り箱を含み、前記絞り箱の中には折畳チャンバが設置され、前記折畳チャンバの上端には進入溝が連通して設置され、前記進入溝の中にタオルを入れることができ、前記折畳チャンバの下端には下端伝動チャンバが設けられ、前記下端伝動チャンバの左右両端には傘歯車伝動チャンバが対称的に設置され、対称の前記傘歯車伝動チャンバと前記下端伝動チャンバの中にはメイン伝動部品が設けられ、前記メイン伝動部品が設備全体の連係運転を制御しており、これによりタオルの脱水を順次行わせ、前記折畳チャンバと前記下端伝動チャンバの中には絞り部品が設けられ、前記絞り部品に入ったタオルを絞ることができ、脱水の機能を果たし、左端の前記傘歯車伝動チャンバの上端には前記絞り箱の中に位置する左摩擦チャンバが設けられ、右端の前記傘歯車伝動チャンバの上端には右摩擦チャンバが設けられ、前記左摩擦チャンバと前記右摩擦チャンバの中には伝動部品が設けられ、前記伝動部品が設備の運転している時に需要に応じて順次作動することができ、設備の運転を平穏且つ規則化にさせ、前記左摩擦チャンバの上端には歯車伝動チャンバが設けられ、前記歯車伝動チャンバの上端には積載ブロックチャンバが連通して設置され、前記歯車伝動チャンバと、前記折畳チャンバと前記積載ブロックチャンバの中には折畳部品が設けられ、前記右摩擦チャンバの上端には前記絞り箱の中に位置するタービン羽根チャンバが設けられ、前記折畳チャンバと、前記タービン羽根チャンバと前記右摩擦チャンバの中には折畳補助部品が設けられ、前記折畳補助部品が前記折畳部品の折畳に補助でき、これにより前記タオルを前記絞り部品の中に進入させ、また、前記右摩擦チャンバの中には絞り駆動部品が設けられることを特徴とするタオル脱水マシン。
【請求項２】
前記メイン伝動部品は左端の前記傘歯車伝動チャンバの左端壁の中に植設される回転モータを含み、前記回転モータの出力軸の右端には順次に左側の前記傘歯車伝動チャンバ、前記下端伝動チャンバ、右側の前記傘歯車伝動チャンバを経由し、且つ左側の前記傘歯車伝動チャンバ、前記下端伝動チャンバ、右側の前記傘歯車伝動チャンバの内壁と回転できるように連結される横軸が連結され、前記横軸にはそれぞれ左右両側の前記傘歯車伝動チャンバの中に位置する受動傘歯車が左右対称的に設置され、前記絞り部品が前記下端伝動チャンバの下端壁と回転できるように連結される下端回転軸を含み、前記下端回転軸には前記横軸と噛み合うタービン羽根伝動ブロックが固定的に設置され、前記下端回転軸の上端には前記絞り箱とスライドできるように連結され、且つ上端が前記折畳チャンバの中へ挿入されるねじ山付プッシュブロックがねじ山によって連結され、前記折畳チャンバの左右端壁の間には安定スライダがスライドできるように設置され、前記安定スライダの中には回転ブロックが回転できるように連結され、前記回転ブロックの円周側の弧状端面には環状ギヤが固定的に連結され、前記回転ブロックの中には上方に開口した挿入チャンバが設置され、前記挿入チャンバにはばね固定チャンバが連通するように矩形に配置されされ、前記挿入チャンバの前後端壁の間には左右対称の押圧ブロックがスライドできるように連結され、前記押圧ブロックのうち前記挿入チャンバから離れている一端と、前記ばね固定チャンバとの間がばねにより連結され、前記押圧ブロックの下端面が前記ねじ山付プッシュブロックの上端面と当接することを特徴とする請求項１に記載のタオル脱水マシン。
【請求項３】
前記伝動部品は前記受動傘歯車の上端面と噛み合うサブ受動傘歯車を含み、左右対称的に設置されるサブ受動傘歯車の上端にはそれぞれ前記左摩擦チャンバ及び前記右摩擦チャンバの中に挿入される短軸が固定的に設置され、前記短軸にはスプラインが固定的に設置され、前記左摩擦チャンバ又は前記右摩擦チャンバの中の前記スプラインにはそれぞれ前記左摩擦チャンバ又は前記右摩擦チャンバの左右端壁とねじ山によって連結される雄ねじブロックが噛合、前記雄ねじブロックの上端面には下摩擦ブロックが固定的に設置され、前記下摩擦ブロックの上端には前記左摩擦チャンバの中に位置する上摩擦ブロックが設置され、前記折畳部品が左端の前記上摩擦ブロックに固定的に設置されるねじりばね固定軸を含み、前記ねじりばね固定軸の上端が前記歯車伝動チャンバの中に挿入され、且つ噛合傘歯車と固定的に連結され、前記ねじりばね固定軸と前記左摩擦チャンバの上端壁との間にはねじりばねが設置され、前記噛合傘歯車の上端には前記歯車伝動チャンバの中で回転できる垂直傘歯車が噛合、前記垂直傘歯車の前端には前記歯車伝動チャンバの中で回転できる転がり歯車が同軸によって連結され、前記転がり歯車の上端には積載ブロックが噛み合って連結され、前記積載ブロックの左端には前記積載ブロックチャンバの左端面に固定的に設置される安定レバーがスライドできるように連結され、前記積載ブロックの中にはチャンバが固定的に設置され、前記チャンバの左端壁にはシリンダーが植設され、前記シリンダーの出力軸の右端には前記チャンバの端壁とスライドできるように連結されるシリンダープッシュブロックが固定的に設置され、前記シリンダープッシュブロックの右端にはプッシュレバーが上下対称的で固定的に設置され、前記プッシュレバーの右端が前記積載ブロックの右側端面外まで伸びており、且つ前記折畳チャンバの中でスライドできるスライダと固定的に連結され、前記積載ブロックの右端壁には前記スライダとスライドできるように連結される固定レバーが固定的に設置され、前記固定レバーの右端面には固定ブロックが固定的に設置され、前記固定ブロックには折畳レバーが上下対称的に、且つ回転できるように連結され、前記折畳レバーと前記スライダとの間にはスイングレバーが回転できるように連結されることを特徴とする請求項２に記載のタオル脱水マシン。
【請求項４】
前記折畳補助部品は前記右摩擦チャンバの中に位置する上摩擦ブロックを含み、前記上摩擦ブロックの上端には前記タービン羽根チャンバに回転しながら挿入され、且つ前記タービン羽根チャンバの上端壁と回転できるように連結されるねじりばねタービン軸が固定的に設置され、前記ねじりばねと前記タービン羽根チャンバの上端壁との間にはねじりばねが設置され、前記ねじりばねタービン軸と前記タービン羽根チャンバの上端壁との間にはねじりばねが設置され、前記ねじりばねタービン軸には前記タービン羽根チャンバの右端壁と回転できるように連結されるタービン羽根ブロックが噛合、前記タービン羽根ブロックの右端には左端が前記折畳チャンバの中に挿入されるガイドレバーがねじ山によって連結され、
使用する時、前記折畳補助部品は前記折畳部品を補助して前記タオルを折り畳み、絞ることを必要となる時、前記タービン羽根ブロックが前記ガイドレバーを駆動して右へ運動させることを特徴とする請求項１に記載のタオル脱水マシン。
【請求項５】
前記絞り駆動部品は前記ねじりばねタービン軸に固定的に設置される主動歯車を含み、前記主動歯車が前記右摩擦チャンバの中に位置し、前記主動歯車の左端には前記右摩擦チャンバの端壁と回転できるように連結される受動歯車が噛み合うことを特徴とする請求項１に記載のタオル脱水マシン。
【手続補正２】
【補正対象書類名】明細書
【補正対象項目名】全文
【補正方法】変更
【補正の内容】
【発明の詳細な説明】
【技術分野】
【０００１】
本発明は脱水分野に関し、具体的にはタオル脱水マシンに関する。
【背景技術】
【０００２】
高級感を持つホテルの飲食業においては、清潔面を考慮すると、常時熱いタオルを提供しており、需要が極めて大きい。しかし、顧客に手と口などを拭き心地のいいタオルを提供するために、一般には、タオルをお湯に浸け、しばらくタオルをお湯から取り出して絞るという流れである。そういう方法は、お湯の温度が高いため、やけどしやすい上に時間もかかる。以上の問題を解決するために、自動化のタオル絞りマシンがかなり必要である。
【先行技術文献】
【特許文献】
【０００３】
【特許文献１】中国特許出願公開第１０７１６６８８５号明細書
【発明の概要】
【発明が解決しようとする課題】
【０００４】
本発明の目的はタオル脱水マシンを提供し、既存の技術にある上記の欠陥を補うことにある。
【課題を解決するための手段】
【０００５】
本発明のタオル脱水マシンは、地面に固定的に設置される絞り箱を含み、前記絞り箱の中には折畳チャンバが設置され、前記折畳チャンバの上端には進入溝が連通して設置され、前記進入溝の中にタオルを入れることができ、前記折畳チャンバの下端には下端伝動チャンバが設けられ、前記下端伝動チャンバの左右両端には傘歯車伝動チャンバが対称的に設置され、対称の前記傘歯車伝動チャンバと前記下端伝動チャンバの中にはメイン伝動部品が設けられ、前記メイン伝動部品が設備全体の連係運転を制御しており、これによりタオルの脱水を順次行わせ、前記折畳チャンバと前記下端伝動チャンバの中には絞り部品が設けられ、前記絞り部品に入ったタオルを絞ることができ、脱水の機能を果たし、左端の前記傘歯車伝動チャンバの上端には前記絞り箱の中に位置する左摩擦チャンバが設けられ、右端の前記傘歯車伝動チャンバの上端には右摩擦チャンバが設けられ、前記左摩擦チャンバと前記右摩擦チャンバの中には伝動部品が設けられ、前記伝動部品が設備の運転している時に需要に応じて順次作動することができ、設備の運転を平穏且つ規則化にさせ、前記左摩擦チャンバの上端には歯車伝動チャンバが設けられ、前記歯車伝動チャンバの上端には積載ブロックチャンバが連通して設置され、前記歯車伝動チャンバと、前記折畳チャンバと前記積載ブロックチャンバの中には折畳部品が設けられ、前記右摩擦チャンバの上端には前記絞り箱の中に位置するタービン羽根チャンバが設けられ、前記折畳チャンバと、前記タービン羽根チャンバと前記右摩擦チャンバの中には折畳補助部品が設けられ、前記折畳補助部品が前記折畳部品の折畳に補助でき、これにより前記タオルを前記絞り部品の中に進入させ、また、前記右摩擦チャンバの中には絞り駆動部品が設けられる。
【０００６】
さらなる技術プランとして、前記メイン伝動部品は左端の前記傘歯車伝動チャンバの左端壁の中に植設される回転モータを含み、前記回転モータの出力軸の右端には順次に左側の前記傘歯車伝動チャンバ、前記下端伝動チャンバ、右側の前記傘歯車伝動チャンバを経由し、且つ左側の前記傘歯車伝動チャンバ、前記下端伝動チャンバ、右側の前記傘歯車伝動チャンバの内壁と回転できるように連結される横軸が連結され、前記横軸にはそれぞれ左右両側の前記傘歯車伝動チャンバの中に位置する受動傘歯車が左右対称的に設置され、前記絞り部品が前記下端伝動チャンバの下端壁と回転できるように連結される下端回転軸を含み、前記下端回転軸には前記横軸と噛み合うタービン羽根伝動ブロックが固定的に設置され、前記下端回転軸の上端には前記絞り箱とスライドできるように連結され、且つ上端が前記折畳チャンバの中へ挿入されるねじ山付プッシュブロックがねじ山によって連結され、前記折畳チャンバの左右端壁の間には安定スライダがスライドできるように設置され、前記安定スライダの中には回転ブロックが回転できるように連結され、前記回転ブロックの円周側の弧状端面には環状ギヤが固定的に連結され、前記回転ブロックの中には上方に開口した挿入チャンバが設置され、前記挿入チャンバにはばね固定チャンバが連通するように矩形に配置されされ、前記挿入チャンバの前後端壁の間には左右対称の押圧ブロックがスライドできるように連結され、前記押圧ブロックのうち前記挿入チャンバから離れている一端と、前記ばね固定チャンバとの間がばねにより連結され、前記押圧ブロックの下端面が前記ねじ山付プッシュブロックの上端面と当接する。
【０００７】
さらなる技術プランとして、前記伝動部品は前記受動傘歯車の上端面と噛み合うサブ受動傘歯車を含み、左右対称的に設置されるサブ受動傘歯車の上端にはそれぞれ前記左摩擦チャンバ及び前記右摩擦チャンバの中に挿入される短軸が固定的に設置され、前記短軸にはスプラインが固定的に設置され、前記左摩擦チャンバ又は前記右摩擦チャンバの中の前記スプラインにはそれぞれ前記左摩擦チャンバ又は前記右摩擦チャンバの左右端壁とねじ山によって連結される雄ねじブロックが噛合、前記雄ねじブロックの上端面には下摩擦ブロックが固定的に設置され、前記下摩擦ブロックの上端には前記左摩擦チャンバの中に位置する上摩擦ブロックが設置され、前記折畳部品が左端の前記上摩擦ブロックに固定的に設置されるねじりばね固定軸を含み、前記ねじりばね固定軸の上端が前記歯車伝動チャンバの中に挿入され、且つ噛合傘歯車と固定的に連結され、前記ねじりばね固定軸と前記左摩擦チャンバの上端壁との間にはねじりばねが設置され、前記噛合傘歯車の上端には前記歯車伝動チャンバの中で回転できる垂直傘歯車が噛合、前記垂直傘歯車の前端には前記歯車伝動チャンバの中で回転できる転がり歯車が同軸によって連結され、前記転がり歯車の上端には積載ブロックが噛み合って連結され、前記積載ブロックの左端には前記積載ブロックチャンバの左端面に固定的に設置される安定レバーがスライドできるように連結され、前記積載ブロックの中にはチャンバが固定的に設置され、前記チャンバの左端壁にはシリンダーが植設され、前記シリンダーの出力軸の右端には前記チャンバの端壁とスライドできるように連結されるシリンダープッシュブロックが固定的に設置され、前記シリンダープッシュブロックの右端にはプッシュレバーが上下対称的で固定的に設置され、前記プッシュレバーの右端が前記積載ブロックの右側端面外まで伸びており、且つ前記折畳チャンバの中でスライドできるスライダと固定的に連結され、前記積載ブロックの右端壁には前記スライダとスライドできるように連結される固定レバーが固定的に設置され、前記固定レバーの右端面には固定ブロックが固定的に設置され、前記固定ブロックには折畳レバーが上下対称的に、且つ回転できるように連結され、前記折畳レバーと前記スライダとの間にはスイングレバーが回転できるように連結される。
【０００８】
さらなる技術プランとして、前記折畳補助部品は前記右摩擦チャンバの中に位置する上摩擦ブロックを含み、前記上摩擦ブロックの上端には前記タービン羽根チャンバに回転しながら挿入され、且つ前記タービン羽根チャンバの上端壁と回転できるように連結されるねじりばねタービン軸が固定的に設置され、前記ねじりばねと前記タービン羽根チャンバの上端壁との間にはねじりばねが設置され、前記ねじりばねタービン軸と前記タービン羽根チャンバの上端壁との間にはねじりばねが設置され、前記ねじりばねタービン軸には前記タービン羽根チャンバの右端壁と回転できるように連結されるタービン羽根ブロックが噛合、前記タービン羽根ブロックの右端には左端が前記折畳チャンバの中に挿入されるガイドレバーがねじ山によって連結され、
使用する時、前記折畳補助部品は前記折畳部品を補助して前記タオルを折り畳み、絞ることを必要となる時、前記タービン羽根ブロックが前記ガイドレバーを駆動して右へ運動させる。
【０００９】
さらなる技術プランとして、前記絞り駆動部品は前記ねじりばねタービン軸に固定的に設置される主動歯車を含み、前記主動歯車が前記右摩擦チャンバの中に位置し、前記主動歯車の左端には前記右摩擦チャンバの端壁と回転できるように連結される受動歯車が噛み合う。
【発明の効果】
【００１０】
本発明の有益効果は：本発明設備は構造が簡単で、使用が便利であり、タオルを装置に放置する時、装置はタオルの存在を自動的に感応でき更に起動し、タオルを折り畳み、同時にタオルをきつく挟み、その後回転によりタオルの水分を取り除き、タオルを絞り上げた後に設備が逆方向に運動し、設備を再び初期位置に戻らせ、今度の使用に便利を与え、設備の安定性を効果的に増加する。
【図面の簡単な説明】
【００１１】
【図１】図１は本発明のタオル脱水マシンの全体構造概略図
【図２】図２は図１のＡの拡大構造概略図
【図３】図３は図１のＢの拡大構造概略図
【図４】図４は図２のＣ−Ｃ方向の構造概略図
【図５】図５は図３のＤ−Ｄ方向の構造概略図
【発明を実施するための形態】
【００１２】
下記に図１〜５を合わせて本発明について詳しく説明する。意思疎通の便利を図って、下記に記載の上下左右前後方向は図１の投影関係の上下左右前後方向と一致している。
【００１３】
図１〜５に示すように、本発明のタオル脱水マシンは、地面に固定的に設置される絞り箱１００を含み、前記絞り箱１００の中には折畳チャンバ１１６が設置され、前記折畳チャンバ１１６の上端には進入溝１１４が連通して設置され、前記進入溝１１４の中にタオル１１５を入れることができ、前記折畳チャンバ１１６の下端には下端伝動チャンバ１４６が設けられ、前記下端伝動チャンバ１４６の左右両端には傘歯車伝動チャンバ１２３が対称的に設置され、対称の前記傘歯車伝動チャンバ１２３と前記下端伝動チャンバ１４６の中にはメイン伝動部品が設けられ、前記メイン伝動部品が設備全体の連係運転を制御しており、これによりタオルの脱水を順次行わせ、前記折畳チャンバ１１６と前記下端伝動チャンバ１４６の中には絞り部品が設けられ、前記絞り部品に入ったタオルを絞ることができ、脱水の機能を果たし、左端の前記傘歯車伝動チャンバ１２３の上端には前記絞り箱１００の中に位置する左摩擦チャンバ１０８が設けられ、右端の前記傘歯車伝動チャンバ１２３の上端には右摩擦チャンバ１５２が設けられ、前記左摩擦チャンバ１０８と前記右摩擦チャンバ１５２の中には伝動部品が設けられ、前記伝動部品が設備の運転している時に需要に応じて順次作動することができ、設備の運転を平穏且つ規則化にさせ、前記左摩擦チャンバ１０８の上端には歯車伝動チャンバ１１０が設けられ、前記歯車伝動チャンバ１１０の上端には積載ブロックチャンバ１２６が連通して設置され、前記歯車伝動チャンバ１１０と、前記折畳チャンバ１１６と前記積載ブロックチャンバ１２６の中には折畳部品が設けられ、前記右摩擦チャンバ１５２の上端には前記絞り箱１００の中に位置するタービン羽根チャンバ１１９が設けられ、前記折畳チャンバ１１６と、前記タービン羽根チャンバ１１９と前記右摩擦チャンバ１５２の中には折畳補助部品が設けられ、前記折畳補助部品が前記折畳部品の折畳に補助でき、これにより前記タオル１１５を前記絞り部品の中に進入させ、また、前記右摩擦チャンバ１５２の中には絞り駆動部品が設けられる。
【００１４】
有益なまた例を示すように、前記メイン伝動部品は左端の前記傘歯車伝動チャンバ１２３の左端壁の中に植設される回転モータ１０１を含み、前記回転モータ１０１の出力軸の右端には順次に左側の前記傘歯車伝動チャンバ１２３、前記下端伝動チャンバ１４６、右側の前記傘歯車伝動チャンバ１２３を経由し、且つ左側の前記傘歯車伝動チャンバ１２３、前記下端伝動チャンバ１４６、右側の前記傘歯車伝動チャンバ１２３の内壁と回転できるように連結される横軸１３６が連結され、前記横軸１３６にはそれぞれ左右両側の前記傘歯車伝動チャンバ１２３の中に位置する受動傘歯車１２４が左右対称的に設置され、前記絞り部品が前記下端伝動チャンバ１４６の下端壁と回転できるように連結される下端回転軸１３５を含み、前記下端回転軸１３５には前記横軸１３６と噛み合うタービン羽根伝動ブロック１４２が固定的に設置され、前記下端回転軸１３５の上端には前記絞り箱１００とスライドできるように連結され、且つ上端が前記折畳チャンバ１１６の中へ挿入されるねじ山付プッシュブロック１４１がねじ山によって連結され、前記折畳チャンバ１１６の左右端壁の間には安定スライダ１３７がスライドできるように設置され、前記安定スライダ１３７の中には回転ブロック１３９が回転できるように連結され、前記回転ブロック１３９の円周側の弧状端面には環状ギヤ１４０が固定的に連結され、前記回転ブロック１３９の中には上方に開口した挿入チャンバ１５０が設置され、前記挿入チャンバ１５０にはばね固定チャンバ１４８が連通するように矩形に配置されされ、前記挿入チャンバ１５０の前後端壁の間には左右対称の押圧ブロック１５１がスライドできるように連結され、前記押圧ブロック１５１のうち前記挿入チャンバ１５０から離れている一端と、前記ばね固定チャンバ１４８との間がばねにより連結され、前記押圧ブロック１５１の下端面が前記ねじ山付プッシュブロック１４１の上端面と当接する。
【００１５】
有益なまた例を示すように、前記伝動部品は前記受動傘歯車１２４の上端面と噛み合うサブ受動傘歯車１０２を含み、左右対称的に設置されるサブ受動傘歯車１０２の上端にはそれぞれ前記左摩擦チャンバ１０８及び前記右摩擦チャンバ１５２の中に挿入される短軸１０３が固定的に設置され、前記短軸１０３にはスプライン１０４が固定的に設置され、前記左摩擦チャンバ１０８又は前記右摩擦チャンバ１５２の中の前記スプライン１０４にはそれぞれ前記左摩擦チャンバ１０８又は前記右摩擦チャンバ１５２の左右端壁とねじ山によって連結される雄ねじブロック１０５が噛合、前記雄ねじブロック１０５の上端面には下摩擦ブロック１０６が固定的に設置され、前記下摩擦ブロック１０６の上端には前記左摩擦チャンバ１０８の中に位置する上摩擦ブロック１０７が設置され、前記折畳部品が左端の前記上摩擦ブロック１０７に固定的に設置されるねじりばね固定軸１０９を含み、前記ねじりばね固定軸１０９の上端が前記歯車伝動チャンバ１１０の中に挿入され、且つ噛合傘歯車１１１と固定的に連結され、前記ねじりばね固定軸１０９と前記左摩擦チャンバ１０８の上端壁との間にはねじりばねが設置され、前記噛合傘歯車１１１の上端には前記歯車伝動チャンバ１１０の中で回転できる垂直傘歯車１１２が噛合、前記垂直傘歯車１１２の前端には前記歯車伝動チャンバ１１０の中で回転できる転がり歯車１１３が同軸によって連結され、前記転がり歯車１１３の上端には積載ブロック１２７が噛み合って連結され、前記積載ブロック１２７の左端には前記積載ブロックチャンバ１２６の左端面に固定的に設置される安定レバー１２５がスライドできるように連結され、前記積載ブロック１２７の中にはチャンバ１５３が固定的に設置され、前記チャンバ１５３の左端壁にはシリンダー１２８が植設され、前記シリンダー１２８の出力軸の右端には前記チャンバ１５３の端壁とスライドできるように連結されるシリンダープッシュブロック１２９が固定的に設置され、前記シリンダープッシュブロック１２９の右端にはプッシュレバー１３０が上下対称的で固定的に設置され、前記プッシュレバー１３０の右端が前記積載ブロック１２７の右側端面外まで伸びており、且つ前記折畳チャンバ１１６の中でスライドできるスライダ１３１と固定的に連結され、前記積載ブロック１２７の右端壁には前記スライダ１３１とスライドできるように連結される固定レバー１３４が固定的に設置され、前記固定レバー１３４の右端面には固定ブロック１３３が固定的に設置され、前記固定ブロック１３３には折畳レバー１３２が上下対称的に、且つ回転できるように連結され、前記折畳レバー１３２と前記スライダ１３１との間にはスイングレバー１４７が回転できるように連結される。
【００１６】
有益なまた例を示すように、前記折畳補助部品は前記右摩擦チャンバ１５２の中に位置する上摩擦ブロック１０７を含み、前記上摩擦ブロック１０７の上端には前記タービン羽根チャンバ１１９に回転しながら挿入され、且つ前記タービン羽根チャンバ１１９の上端壁と回転できるように連結されるねじりばねタービン軸１１８が固定的に設置され、前記ねじりばね１１８と前記タービン羽根チャンバ１１９の上端壁との間にはねじりばねが設置され、前記ねじりばねタービン軸１１８と前記タービン羽根チャンバ１１９の上端壁との間にはねじりばねが設置され、前記ねじりばねタービン軸１１８には前記タービン羽根チャンバ１１９の右端壁と回転できるように連結されるタービン羽根ブロック１２０が噛合、前記タービン羽根ブロック１２０の右端には左端が前記折畳チャンバ１１６の中に挿入されるガイドレバー１１７がねじ山によって連結され、
使用する時、前記折畳補助部品は前記折畳部品を補助して前記タオル１１５を折り畳み、絞ることを必要となる時、前記タービン羽根ブロック１２０が前記ガイドレバー１１７を駆動して右へ運動させる。
【００１７】
有益なまた例を示すように、前記絞り駆動部品は前記ねじりばねタービン軸１１８に固定的に設置される主動歯車１２１を含み、前記主動歯車１２１が前記右摩擦チャンバ１５２の中に位置し、前記主動歯車１２１の左端には前記右摩擦チャンバ１５２の端壁と回転できるように連結される受動歯車１２２が噛み合う。
【００１８】
本発明は初期状態の時、前記回転モータ１０１と前記シリンダー１２８が作動停止状態にあり、前記下摩擦ブロック１０６が前記左摩擦チャンバ１０８と前記右摩擦チャンバ１５２との下端に位置し、これにより上記構成を初期状態の時に最初の位置に位置させ、後続の作動中に調整でき、設備の作動協調度を効果的に高める。
【００１９】
設備が運転する時、前記タオル１５５の一端を前記進入溝１４４の中から下へ前記折畳チャンバ１１６の中に入れ、前記シリンダー１２８が作動し、前記シリンダープッシュブロック１２９を駆動して右へ運動させ、前記プッシュレバー１３０を右へ運動させる前記スライダ１３１が右へ運動し、これにより前記スイングレバー１４７が前記折畳レバー１３２を押し動かし、前記ガイドレバー１１７の遮断の補助により前記タオル１１５を折り畳み、前記回転モータ１０１が作動し、前記横軸１３６を駆動して回転させ、前記横軸１３６が前記タービン羽根伝動ブロック１４２を駆動して回転させ、前記タービン羽根伝動ブロック１４２が前記下端回転軸１３５を駆動して回転させ、これにより前記下端回転軸１３５とねじ山によって連結される前記ねじ山付プッシュブロック１４１を上へ運動させ、前記押圧ブロック１３８と、前記回転ブロック１３９と前記環状ギヤ１４０を押し動かして前記安定スライダ１３７の案内で上へ運動させ、折り畳んだ前記タオル１１５を前記挿入チャンバ１５０の中に進入して前記押圧ブロック１３８の間に位置させ、同時に、前記横軸１３６が左右対称の前記受動傘歯車１２４を駆動して回転させ、噛み合った前記サブ受動傘歯車１０２を回転させ、これにより前記スプライン１０４が前記雄ねじブロック１０５を駆動して回転させ、これにより前記雄ねじブロック１０５が回転しながら前記下摩擦ブロック１０６を駆動して上へ運動し前記上摩擦ブロック１０７と噛み合わせ、前記上摩擦ブロック１０７が回転し、前記ねじりばね固定軸１０９と前記噛合傘歯車１１１とを駆動して回転させ、前記垂直傘歯車１１２が運動を前記転がり歯車１１３に伝達し、前記転がり歯車１１３が前記積載ブロック１２７を駆動して左へスライドさせて前記折畳レバー１３２を前記タオル１１５から離脱し、同時に右端の前記右摩擦チャンバ１５２の中において、前記上摩擦ブロック１０７が前記ねじりばねタービン軸１１８を駆動して回転させ、これにより前記ねじりばねタービン軸１１８と噛み合う前記タービン羽根ブロック１２０を回転させ、前記タービン羽根１２０とねじ山によって連結される前記ガイドレバー１１７を駆動して右へスライドさせて前記タオル１１５から離脱し、同時に、前記ねじりばねタービン軸１１８が前記主動歯車１２１を駆動して回転させ、これにより前記主動歯車１２１と噛み合う前記受動歯車１２２を回転させ、前記受動歯車１２２が上へ運動している前記絞り部品のうち前記受動歯車１２２と噛み合う前記環状ギヤ１４０を駆動して回転させ、前記環状ギヤ１４０が前記回転ブロック１３９を駆動して回転させ、前記回転ブロック１３９が前記回転ブロック１３９とスライドできるように連結される前記押圧ブロック１３８を駆動して回転させ、これにより前記押圧ブロック１３８に挟まれている前記タオル１１５を回転させて絞り上げる。
【００２０】
以上に述べたのはただ本実用新型のより良い実施例で、本実用新型を限定することに使わないである。本実用新型の意義と原則のもとで行う全ての修正、同等の入れ替えと改善などは本実用新型の保護範囲に含まれる。
【手続補正書】
【提出日】令和1年12月3日(2019.12.3)
【手続補正１】
【補正対象書類名】特許請求の範囲
【補正対象項目名】全文
【補正方法】変更
【補正の内容】
【特許請求の範囲】
【請求項１】
地面に固定的に設置される絞り箱を含み、前記絞り箱の中には折畳チャンバが設置され、前記折畳チャンバの上端には進入溝が連通して設置され、前記進入溝の中にタオルを入れることができ、前記折畳チャンバの下端には下端伝動チャンバが設けられ、前記下端伝動チャンバの左右両端には傘歯車伝動チャンバが対称的に設置され、対称の前記傘歯車伝動チャンバと前記下端伝動チャンバの中にはメイン伝動部品が設けられ、前記メイン伝動部品が設備全体の連係運転を制御しており、前記折畳チャンバと前記下端伝動チャンバの中には絞り部品が設けられ、前記絞り部品に入ったタオルを絞ることができ、脱水の機能を果たし、左端の前記傘歯車伝動チャンバの上端には前記絞り箱の中に位置する左摩擦チャンバが設けられ、右端の前記傘歯車伝動チャンバの上端には右摩擦チャンバが設けられ、前記左摩擦チャンバと前記右摩擦チャンバの中には伝動部品が設けられ、前記伝動部品が設備の運転している時に需要に応じて順次作動することができ、設備の運転を平穏且つ規則化にさせ、前記左摩擦チャンバの上端には歯車伝動チャンバが設けられ、前記歯車伝動チャンバの上端には積載ブロックチャンバが連通して設置され、前記歯車伝動チャンバと、前記折畳チャンバと前記積載ブロックチャンバの中には折畳部品が設けられ、前記右摩擦チャンバの上端には前記絞り箱の中に位置するタービン羽根チャンバが設けられ、前記折畳チャンバと、前記タービン羽根チャンバと前記右摩擦チャンバの中には折畳補助部品が設けられ、前記折畳補助部品が前記折畳部品の折畳に補助でき、これにより前記タオルを前記絞り部品の中に進入させ、また、前記右摩擦チャンバの中には絞り駆動部品が設けられることを特徴とするタオル脱水マシン。
【請求項２】
前記メイン伝動部品は左端の前記傘歯車伝動チャンバの左端壁の中に植設される回転モータを含み、前記回転モータの出力軸の右端には順次に左側の前記傘歯車伝動チャンバ、前記下端伝動チャンバ、右側の前記傘歯車伝動チャンバを経由し、且つ左側の前記傘歯車伝動チャンバ、前記下端伝動チャンバ、右側の前記傘歯車伝動チャンバの内壁と回転できるように連結される横軸が連結され、前記横軸にはそれぞれ左右両側の前記傘歯車伝動チャンバの中に位置する受動傘歯車が左右対称的に設置され、前記絞り部品が前記下端伝動チャンバの下端壁と回転できるように連結される下端回転軸を含み、前記下端回転軸には前記横軸と噛み合うタービン羽根伝動ブロックが固定的に設置され、前記下端回転軸の上端には前記絞り箱とスライドできるように連結され、且つ上端が前記折畳チャンバの中へ挿入されるねじ山付プッシュブロックがねじ山によって連結され、前記折畳チャンバの左右端壁の間には安定スライダがスライドできるように設置され、前記安定スライダの中には回転ブロックが回転できるように連結され、前記回転ブロックの円周側の弧状端面には環状ギヤが固定的に連結され、前記回転ブロックの中には上方に開口した挿入チャンバが設置され、前記挿入チャンバにはばね固定チャンバが連通するように矩形に配置され、前記挿入チャンバの前後端壁の間には左右対称の押圧ブロックがスライドできるように連結され、前記押圧ブロックのうち前記挿入チャンバから離れている一端と、前記ばね固定チャンバとの間がばねにより連結され、前記押圧ブロックの下端面が前記ねじ山付プッシュブロックの上端面と当接することを特徴とする請求項１に記載のタオル脱水マシン。
【請求項３】
前記伝動部品は前記受動傘歯車の上端面と噛み合うサブ受動傘歯車を含み、左右対称的に設置されるサブ受動傘歯車の上端にはそれぞれ前記左摩擦チャンバ及び前記右摩擦チャンバの中に挿入される短軸が固定的に設置され、前記短軸にはスプラインが固定的に設置され、前記左摩擦チャンバ又は前記右摩擦チャンバの中の前記スプラインにはそれぞれ前記左摩擦チャンバ又は前記右摩擦チャンバの左右端壁とねじ山によって連結される雄ねじブロックが噛合、前記雄ねじブロックの上端面には下摩擦ブロックが固定的に設置され、前記下摩擦ブロックの上端には前記左摩擦チャンバの中に位置する上摩擦ブロックが設置され、前記折畳部品が左端の前記上摩擦ブロックに固定的に設置されるねじりばね固定軸を含み、前記ねじりばね固定軸の上端が前記歯車伝動チャンバの中に挿入され、且つ噛合傘歯車と固定的に連結され、前記ねじりばね固定軸と前記左摩擦チャンバの上端壁との間にはねじりばねが設置され、前記噛合傘歯車の上端には前記歯車伝動チャンバの中で回転できる垂直傘歯車が噛合、前記垂直傘歯車の前端には前記歯車伝動チャンバの中で回転できる転がり歯車が同軸によって連結され、前記転がり歯車の上端には積載ブロックが噛み合って連結され、前記積載ブロックの左端には前記積載ブロックチャンバの左端面に固定的に設置される安定レバーがスライドできるように連結され、前記積載ブロックの中にはチャンバが固定的に設置され、前記チャンバの左端壁にはシリンダーが植設され、前記シリンダーの出力軸の右端には前記チャンバの端壁とスライドできるように連結されるシリンダープッシュブロックが固定的に設置され、前記シリンダープッシュブロックの右端にはプッシュレバーが上下対称的で固定的に設置され、前記プッシュレバーの右端が前記積載ブロックの右側端面外まで伸びており、且つ前記折畳チャンバの中でスライドできるスライダと固定的に連結され、前記積載ブロックの右端壁には前記スライダとスライドできるように連結される固定レバーが固定的に設置され、前記固定レバーの右端面には固定ブロックが固定的に設置され、前記固定ブロックには折畳レバーが上下対称的に、且つ回転できるように連結され、前記折畳レバーと前記スライダとの間にはスイングレバーが回転できるように連結されることを特徴とする請求項２に記載のタオル脱水マシン。
【請求項４】
前記折畳補助部品は前記右摩擦チャンバの中に位置する上摩擦ブロックを含み、前記上摩擦ブロックの上端には前記タービン羽根チャンバに回転しながら挿入され、且つ前記タービン羽根チャンバの上端壁と回転できるように連結されるねじりばねタービン軸が固定的に設置され、前記ねじりばねタービン軸と前記タービン羽根チャンバの上端壁との間にはねじりばねが設置され、前記ねじりばねタービン軸には前記タービン羽根チャンバの右端壁と回転できるように連結されるタービン羽根ブロックが噛合、前記タービン羽根ブロックの左端には左端が前記折畳チャンバの中に挿入されるガイドレバーがねじ山によって連結され、
使用する時、前記折畳補助部品は前記折畳部品を補助して前記タオルを折り畳み、絞ることを必要となる時、前記タービン羽根ブロックが前記ガイドレバーを駆動して右へ運動させることを特徴とする請求項１に記載のタオル脱水マシン。
【請求項５】
前記絞り駆動部品は前記ねじりばねタービン軸に固定的に設置される主動歯車を含み、前記主動歯車が前記右摩擦チャンバの中に位置し、前記主動歯車の左端には前記右摩擦チャンバの端壁と回転できるように連結される受動歯車が噛み合い、前記受動歯車は前記環状ギアと噛み合うことを特徴とする請求項１に記載のタオル脱水マシン。
【手続補正２】
【補正対象書類名】明細書
【補正対象項目名】全文
【補正方法】変更
【補正の内容】
【発明の詳細な説明】
【技術分野】
【０００１】
本発明は脱水分野に関し、具体的にはタオル脱水マシンに関する。
【背景技術】
【０００２】
高級感を持つホテルの飲食業においては、清潔面を考慮すると、常時熱いタオルを提供しており、需要が極めて大きい。しかし、顧客に手と口などを拭き心地のいいタオルを提供するために、一般には、タオルをお湯に浸け、しばらくタオルをお湯から取り出して絞るという流れである。そういう方法は、お湯の温度が高いため、やけどしやすい上に時間もかかる。以上の問題を解決するために、自動化のタオル絞りマシンがかなり必要である。
【先行技術文献】
【特許文献】
【０００３】
【特許文献１】中国特許出願公開第１０７１６６８８５号明細書
【発明の概要】
【発明が解決しようとする課題】
【０００４】
本発明の目的はタオル脱水マシンを提供し、既存の技術にある上記の欠陥を補うことにある。
【課題を解決するための手段】
【０００５】
本発明のタオル脱水マシンは、地面に固定的に設置される絞り箱を含み、前記絞り箱の中には折畳チャンバが設置され、前記折畳チャンバの上端には進入溝が連通して設置され、前記進入溝の中にタオルを入れることができ、前記折畳チャンバの下端には下端伝動チャンバが設けられ、前記下端伝動チャンバの左右両端には傘歯車伝動チャンバが対称的に設置され、対称の前記傘歯車伝動チャンバと前記下端伝動チャンバの中にはメイン伝動部品が設けられ、前記メイン伝動部品が設備全体の連係運転を制御しており、前記折畳チャンバと前記下端伝動チャンバの中には絞り部品が設けられ、前記絞り部品に入ったタオルを絞ることができ、脱水の機能を果たし、左端の前記傘歯車伝動チャンバの上端には前記絞り箱の中に位置する左摩擦チャンバが設けられ、右端の前記傘歯車伝動チャンバの上端には右摩擦チャンバが設けられ、前記左摩擦チャンバと前記右摩擦チャンバの中には伝動部品が設けられ、前記伝動部品が設備の運転している時に需要に応じて順次作動することができ、設備の運転を平穏且つ規則化にさせ、前記左摩擦チャンバの上端には歯車伝動チャンバが設けられ、前記歯車伝動チャンバの上端には積載ブロックチャンバが連通して設置され、前記歯車伝動チャンバと、前記折畳チャンバと前記積載ブロックチャンバの中には折畳部品が設けられ、前記右摩擦チャンバの上端には前記絞り箱の中に位置するタービン羽根チャンバが設けられ、前記折畳チャンバと、前記タービン羽根チャンバと前記右摩擦チャンバの中には折畳補助部品が設けられ、前記折畳補助部品が前記折畳部品の折畳に補助でき、これにより前記タオルを前記絞り部品の中に進入させ、また、前記右摩擦チャンバの中には絞り駆動部品が設けられる。
【０００６】
さらなる技術プランとして、前記メイン伝動部品は左端の前記傘歯車伝動チャンバの左端壁の中に植設される回転モータを含み、前記回転モータの出力軸の右端には順次に左側の前記傘歯車伝動チャンバ、前記下端伝動チャンバ、右側の前記傘歯車伝動チャンバを経由し、且つ左側の前記傘歯車伝動チャンバ、前記下端伝動チャンバ、右側の前記傘歯車伝動チャンバの内壁と回転できるように連結される横軸が連結され、前記横軸にはそれぞれ左右両側の前記傘歯車伝動チャンバの中に位置する受動傘歯車が左右対称的に設置され、前記絞り部品が前記下端伝動チャンバの下端壁と回転できるように連結される下端回転軸を含み、前記下端回転軸には前記横軸と噛み合うタービン羽根伝動ブロックが固定的に設置され、前記下端回転軸の上端には前記絞り箱とスライドできるように連結され、且つ上端が前記折畳チャンバの中へ挿入されるねじ山付プッシュブロックがねじ山によって連結され、前記折畳チャンバの左右端壁の間には安定スライダがスライドできるように設置され、前記安定スライダの中には回転ブロックが回転できるように連結され、前記回転ブロックの円周側の弧状端面には環状ギヤが固定的に連結され、前記回転ブロックの中には上方に開口した挿入チャンバが設置され、前記挿入チャンバにはばね固定チャンバが連通するように矩形に配置され、前記挿入チャンバの前後端壁の間には左右対称の押圧ブロックがスライドできるように連結され、前記押圧ブロックのうち前記挿入チャンバから離れている一端と、前記ばね固定チャンバとの間がばねにより連結され、前記押圧ブロックの下端面が前記ねじ山付プッシュブロックの上端面と当接する。
【０００７】
さらなる技術プランとして、前記伝動部品は前記受動傘歯車の上端面と噛み合うサブ受動傘歯車を含み、左右対称的に設置されるサブ受動傘歯車の上端にはそれぞれ前記左摩擦チャンバ及び前記右摩擦チャンバの中に挿入される短軸が固定的に設置され、前記短軸にはスプラインが固定的に設置され、前記左摩擦チャンバ又は前記右摩擦チャンバの中の前記スプラインにはそれぞれ前記左摩擦チャンバ又は前記右摩擦チャンバの左右端壁とねじ山によって連結される雄ねじブロックが噛合、前記雄ねじブロックの上端面には下摩擦ブロックが固定的に設置され、前記下摩擦ブロックの上端には前記左摩擦チャンバの中に位置する上摩擦ブロックが設置され、前記折畳部品が左端の前記上摩擦ブロックに固定的に設置されるねじりばね固定軸を含み、前記ねじりばね固定軸の上端が前記歯車伝動チャンバの中に挿入され、且つ噛合傘歯車と固定的に連結され、前記ねじりばね固定軸と前記左摩擦チャンバの上端壁との間にはねじりばねが設置され、前記噛合傘歯車の上端には前記歯車伝動チャンバの中で回転できる垂直傘歯車が噛合、前記垂直傘歯車の前端には前記歯車伝動チャンバの中で回転できる転がり歯車が同軸によって連結され、前記転がり歯車の上端には積載ブロックが噛み合って連結され、前記積載ブロックの左端には前記積載ブロックチャンバの左端面に固定的に設置される安定レバーがスライドできるように連結され、前記積載ブロックの中にはチャンバが固定的に設置され、前記チャンバの左端壁にはシリンダーが植設され、前記シリンダーの出力軸の右端には前記チャンバの端壁とスライドできるように連結されるシリンダープッシュブロックが固定的に設置され、前記シリンダープッシュブロックの右端にはプッシュレバーが上下対称的で固定的に設置され、前記プッシュレバーの右端が前記積載ブロックの右側端面外まで伸びており、且つ前記折畳チャンバの中でスライドできるスライダと固定的に連結され、前記積載ブロックの右端壁には前記スライダとスライドできるように連結される固定レバーが固定的に設置され、前記固定レバーの右端面には固定ブロックが固定的に設置され、前記固定ブロックには折畳レバーが上下対称的に、且つ回転できるように連結され、前記折畳レバーと前記スライダとの間にはスイングレバーが回転できるように連結される。
【０００８】
さらなる技術プランとして、前記折畳補助部品は前記右摩擦チャンバの中に位置する上摩擦ブロックを含み、前記上摩擦ブロックの上端には前記タービン羽根チャンバに回転しながら挿入され、且つ前記タービン羽根チャンバの上端壁と回転できるように連結されるねじりばねタービン軸が固定的に設置され、前記ねじりばねタービン軸と前記タービン羽根チャンバの上端壁との間にはねじりばねが設置され、前記ねじりばねタービン軸には前記タービン羽根チャンバの右端壁と回転できるように連結されるタービン羽根ブロックが噛合、前記タービン羽根ブロックの左端には左端が前記折畳チャンバの中に挿入されるガイドレバーがねじ山によって連結され、
使用する時、前記折畳補助部品は前記折畳部品を補助して前記タオルを折り畳み、絞ることを必要となる時、前記タービン羽根ブロックが前記ガイドレバーを駆動して右へ運動させる。
【０００９】
さらなる技術プランとして、前記絞り駆動部品は前記ねじりばねタービン軸に固定的に設置される主動歯車を含み、前記主動歯車が前記右摩擦チャンバの中に位置し、前記主動歯車の左端には前記右摩擦チャンバの端壁と回転できるように連結される受動歯車が噛み合い、前記受動歯車は前記環状ギアと噛み合う。
【発明の効果】
【００１０】
本発明の有益効果は：本発明設備は構造が簡単で、使用が便利であり、タオルを装置に放置する時、装置はタオルの存在を自動的に感応でき更に起動し、タオルを折り畳み、同時にタオルをきつく挟み、その後回転によりタオルの水分を取り除き、タオルを絞り上げた後に設備が逆方向に運動し、設備を再び初期位置に戻らせ、今度の使用に便利を与え、設備の安定性を効果的に増加する。
【図面の簡単な説明】
【００１１】
【図１】図１は本発明のタオル脱水マシンの全体構造概略図
【図２】図２は図１のＡの拡大構造概略図
【図３】図３は図１のＢの拡大構造概略図
【図４】図４は図２のＣ−Ｃ方向の構造概略図
【図５】図５は図３のＤ−Ｄ方向の構造概略図
【発明を実施するための形態】
【００１２】
下記に図１〜５を合わせて本発明について詳しく説明する。意思疎通の便利を図って、下記に記載の上下左右前後方向は図１の投影関係の上下左右前後方向と一致している。
【００１３】
図１〜５に示すように、本発明のタオル脱水マシンは、地面に固定的に設置される絞り箱１００を含み、前記絞り箱１００の中には折畳チャンバ１１６が設置され、前記折畳チャンバ１１６の上端には進入溝１１４が連通して設置され、前記進入溝１１４の中にタオル１１５を入れることができ、前記折畳チャンバ１１６の下端には下端伝動チャンバ１４６が設けられ、前記下端伝動チャンバ１４６の左右両端には傘歯車伝動チャンバ１２３が対称的に設置され、対称の前記傘歯車伝動チャンバ１２３と前記下端伝動チャンバ１４６の中にはメイン伝動部品が設けられ、前記メイン伝動部品が設備全体の連係運転を制御しており、前記折畳チャンバ１１６と前記下端伝動チャンバ１４６の中には絞り部品が設けられ、前記絞り部品に入ったタオルを絞ることができ、脱水の機能を果たし、左端の前記傘歯車伝動チャンバ１２３の上端には前記絞り箱１００の中に位置する左摩擦チャンバ１０８が設けられ、右端の前記傘歯車伝動チャンバ１２３の上端には右摩擦チャンバ１５２が設けられ、前記左摩擦チャンバ１０８と前記右摩擦チャンバ１５２の中には伝動部品が設けられ、前記伝動部品が設備の運転している時に需要に応じて順次作動することができ、設備の運転を平穏且つ規則化にさせ、前記左摩擦チャンバ１０８の上端には歯車伝動チャンバ１１０が設けられ、前記歯車伝動チャンバ１１０の上端には積載ブロックチャンバ１２６が連通して設置され、前記歯車伝動チャンバ１１０と、前記折畳チャンバ１１６と前記積載ブロックチャンバ１２６の中には折畳部品が設けられ、前記右摩擦チャンバ１５２の上端には前記絞り箱１００の中に位置するタービン羽根チャンバ１１９が設けられ、前記折畳チャンバ１１６と、前記タービン羽根チャンバ１１９と前記右摩擦チャンバ１５２の中には折畳補助部品が設けられ、前記折畳補助部品が前記折畳部品の折畳に補助でき、これにより前記タオル１１５を前記絞り部品の中に進入させ、また、前記右摩擦チャンバ１５２の中には絞り駆動部品が設けられる。
【００１４】
有益なまた例を示すように、前記メイン伝動部品は左端の前記傘歯車伝動チャンバ１２３の左端壁の中に植設される回転モータ１０１を含み、前記回転モータ１０１の出力軸の右端には順次に左側の前記傘歯車伝動チャンバ１２３、前記下端伝動チャンバ１４６、右側の前記傘歯車伝動チャンバ１２３を経由し、且つ左側の前記傘歯車伝動チャンバ１２３、前記下端伝動チャンバ１４６、右側の前記傘歯車伝動チャンバ１２３の内壁と回転できるように連結される横軸１３６が連結され、前記横軸１３６にはそれぞれ左右両側の前記傘歯車伝動チャンバ１２３の中に位置する受動傘歯車１２４が左右対称的に設置され、前記絞り部品が前記下端伝動チャンバ１４６の下端壁と回転できるように連結される下端回転軸１３５を含み、前記下端回転軸１３５には前記横軸１３６と噛み合うタービン羽根伝動ブロック１４２が固定的に設置され、前記下端回転軸１３５の上端には前記絞り箱１００とスライドできるように連結され、且つ上端が前記折畳チャンバ１１６の中へ挿入されるねじ山付プッシュブロック１４１がねじ山によって連結され、前記折畳チャンバ１１６の左右端壁の間には安定スライダ１３７がスライドできるように設置され、前記安定スライダ１３７の中には回転ブロック１３９が回転できるように連結され、前記回転ブロック１３９の円周側の弧状端面には環状ギヤ１４０が固定的に連結され、前記回転ブロック１３９の中には上方に開口した挿入チャンバ１５０が設置され、前記挿入チャンバ１５０にはばね固定チャンバ１４８が連通するように矩形に配置され、前記挿入チャンバ１５０の前後端壁の間には左右対称の押圧ブロック１５１がスライドできるように連結され、前記押圧ブロック１５１のうち前記挿入チャンバ１５０から離れている一端と、前記ばね固定チャンバ１４８との間がばねにより連結され、前記押圧ブロック１５１の下端面が前記ねじ山付プッシュブロック１４１の上端面と当接する。
【００１５】
有益なまた例を示すように、前記伝動部品は前記受動傘歯車１２４の上端面と噛み合うサブ受動傘歯車１０２を含み、左右対称的に設置されるサブ受動傘歯車１０２の上端にはそれぞれ前記左摩擦チャンバ１０８及び前記右摩擦チャンバ１５２の中に挿入される短軸１０３が固定的に設置され、前記短軸１０３にはスプライン１０４が固定的に設置され、前記左摩擦チャンバ１０８又は前記右摩擦チャンバ１５２の中の前記スプライン１０４にはそれぞれ前記左摩擦チャンバ１０８又は前記右摩擦チャンバ１５２の左右端壁とねじ山によって連結される雄ねじブロック１０５が噛合、前記雄ねじブロック１０５の上端面には下摩擦ブロック１０６が固定的に設置され、前記下摩擦ブロック１０６の上端には前記左摩擦チャンバ１０８の中に位置する上摩擦ブロック１０７が設置され、前記折畳部品が左端の前記上摩擦ブロック１０７に固定的に設置されるねじりばね固定軸１０９を含み、前記ねじりばね固定軸１０９の上端が前記歯車伝動チャンバ１１０の中に挿入され、且つ噛合傘歯車１１１と固定的に連結され、前記ねじりばね固定軸１０９と前記左摩擦チャンバ１０８の上端壁との間にはねじりばねが設置され、前記噛合傘歯車１１１の上端には前記歯車伝動チャンバ１１０の中で回転できる垂直傘歯車１１２が噛合、前記垂直傘歯車１１２の前端には前記歯車伝動チャンバ１１０の中で回転できる転がり歯車１１３が同軸によって連結され、前記転がり歯車１１３の上端には積載ブロック１２７が噛み合って連結され、前記積載ブロック１２７の左端には前記積載ブロックチャンバ１２６の左端面に固定的に設置される安定レバー１２５がスライドできるように連結され、前記積載ブロック１２７の中にはチャンバ１５３が固定的に設置され、前記チャンバ１５３の左端壁にはシリンダー１２８が植設され、前記シリンダー１２８の出力軸の右端には前記チャンバ１５３の端壁とスライドできるように連結されるシリンダープッシュブロック１２９が固定的に設置され、前記シリンダープッシュブロック１２９の右端にはプッシュレバー１３０が上下対称的で固定的に設置され、前記プッシュレバー１３０の右端が前記積載ブロック１２７の右側端面外まで伸びており、且つ前記折畳チャンバ１１６の中でスライドできるスライダ１３１と固定的に連結され、前記積載ブロック１２７の右端壁には前記スライダ１３１とスライドできるように連結される固定レバー１３４が固定的に設置され、前記固定レバー１３４の右端面には固定ブロック１３３が固定的に設置され、前記固定ブロック１３３には折畳レバー１３２が上下対称的に、且つ回転できるように連結され、前記折畳レバー１３２と前記スライダ１３１との間にはスイングレバー１４７が回転できるように連結される。
【００１６】
有益なまた例を示すように、前記折畳補助部品は前記右摩擦チャンバ１５２の中に位置する上摩擦ブロック１０７を含み、前記上摩擦ブロック１０７の上端には前記タービン羽根チャンバ１１９に回転しながら挿入され、且つ前記タービン羽根チャンバ１１９の上端壁と回転できるように連結されるねじりばねタービン軸１１８が固定的に設置され、前記ねじりばねタービン軸１１８と前記タービン羽根チャンバ１１９の上端壁との間にはねじりばねが設置され、前記ねじりばねタービン軸１１８には前記タービン羽根チャンバ１１９の右端壁と回転できるように連結されるタービン羽根ブロック１２０が噛合、前記タービン羽根ブロック１２０の左端には左端が前記折畳チャンバ１１６の中に挿入されるガイドレバー１１７がねじ山によって連結され、
使用する時、前記折畳補助部品は前記折畳部品を補助して前記タオル１１５を折り畳み、絞ることを必要となる時、前記タービン羽根ブロック１２０が前記ガイドレバー１１７を駆動して右へ運動させる。
【００１７】
有益なまた例を示すように、前記絞り駆動部品は前記ねじりばねタービン軸１１８に固定的に設置される主動歯車１２１を含み、前記主動歯車１２１が前記右摩擦チャンバ１５２の中に位置し、前記主動歯車１２１の左端には前記右摩擦チャンバ１５２の端壁と回転できるように連結される受動歯車１２２が噛み合い、前記受動歯車１２２は前記環状ギア１４０と噛み合う。
【００１８】
本発明は初期状態の時、前記回転モータ１０１と前記シリンダー１２８が作動停止状態にあり、前記下摩擦ブロック１０６が前記左摩擦チャンバ１０８と前記右摩擦チャンバ１５２との下端に位置し、これにより上記構成を初期状態の時に最初の位置に位置させ、後続の作動中に調整でき、設備の作動協調度を効果的に高める。
【００１９】
設備が運転する時、前記タオル１５５の一端を前記進入溝１４４の中から下へ前記折畳チャンバ１１６の中に入れ、前記シリンダー１２８が作動し、前記シリンダープッシュブロック１２９を駆動して右へ運動させ、前記プッシュレバー１３０を右へ運動させる前記スライダ１３１が右へ運動し、これにより前記スイングレバー１４７が前記折畳レバー１３２を押し動かし、前記ガイドレバー１１７の遮断の補助により前記タオル１１５を折り畳み、前記回転モータ１０１が作動し、前記横軸１３６を駆動して回転させ、前記横軸１３６が前記タービン羽根伝動ブロック１４２を駆動して回転させ、前記タービン羽根伝動ブロック１４２が前記下端回転軸１３５を駆動して回転させ、これにより前記下端回転軸１３５とねじ山によって連結される前記ねじ山付プッシュブロック１４１を上へ運動させ、前記押圧ブロック１３８と、前記回転ブロック１３９と前記環状ギヤ１４０を押し動かして前記安定スライダ１３７の案内で上へ運動させ、折り畳んだ前記タオル１１５を前記挿入チャンバ１５０の中に進入して前記押圧ブロック１３８の間に位置させ、同時に、前記横軸１３６が左右対称の前記受動傘歯車１２４を駆動して回転させ、噛み合った前記サブ受動傘歯車１０２を回転させ、これにより前記スプライン１０４が前記雄ねじブロック１０５を駆動して回転させ、これにより前記雄ねじブロック１０５が回転しながら前記下摩擦ブロック１０６を駆動して上へ運動し前記上摩擦ブロック１０７と噛み合わせ、前記上摩擦ブロック１０７が回転し、前記ねじりばね固定軸１０９と前記噛合傘歯車１１１とを駆動して回転させ、前記垂直傘歯車１１２が運動を前記転がり歯車１１３に伝達し、前記転がり歯車１１３が前記積載ブロック１２７を駆動して左へスライドさせて前記折畳レバー１３２を前記タオル１１５から離脱し、同時に右端の前記右摩擦チャンバ１５２の中において、前記上摩擦ブロック１０７が前記ねじりばねタービン軸１１８を駆動して回転させ、これにより前記ねじりばねタービン軸１１８と噛み合う前記タービン羽根ブロック１２０を回転させ、前記タービン羽根１２０とねじ山によって連結される前記ガイドレバー１１７を駆動して右へスライドさせて前記タオル１１５から離脱し、同時に、前記ねじりばねタービン軸１１８が前記主動歯車１２１を駆動して回転させ、これにより前記主動歯車１２１と噛み合う前記受動歯車１２２を回転させ、前記受動歯車１２２が上へ運動している前記絞り部品のうち前記受動歯車１２２と噛み合う前記環状ギヤ１４０を駆動して回転させ、前記環状ギヤ１４０が前記回転ブロック１３９を駆動して回転させ、前記回転ブロック１３９が前記回転ブロック１３９とスライドできるように連結される前記押圧ブロック１３８を駆動して回転させ、これにより前記押圧ブロック１３８に挟まれている前記タオル１１５を回転させて絞り上げる。
【００２０】
以上に述べたのはただ本実用新型のより良い実施例で、本実用新型を限定することに使わないである。本実用新型の意義と原則のもとで行う全ての修正、同等の入れ替えと改善などは本実用新型の保護範囲に含まれる。
【手続補正書】
【提出日】令和2年4月13日(2020.4.13)
【手続補正１】
【補正対象書類名】特許請求の範囲
【補正対象項目名】請求項５
【補正方法】変更
【補正の内容】
【請求項５】
前記絞り駆動部品は前記ねじりばねタービン軸に固定的に設置される主動歯車を含み、前記主動歯車が前記右摩擦チャンバの中に位置し、前記主動歯車の左端には前記右摩擦チャンバの端壁と回転できるように連結される受動歯車が噛み合い、前記受動歯車は前記環状ギアと噛み合うことを特徴とする請求項２に記載のタオル脱水マシン。
【手続補正書】
【提出日】令和2年6月18日(2020.6.18)
【手続補正１】
【補正対象書類名】特許請求の範囲
【補正対象項目名】請求項５
【補正方法】変更
【補正の内容】
【請求項５】
前記絞り駆動部品は前記ねじりばねタービン軸に固定的に設置される主動歯車を含み、前記主動歯車が前記右摩擦チャンバの中に位置し、前記主動歯車の左端には前記右摩擦チャンバの端壁と回転できるように連結される受動歯車が噛み合い、前記受動歯車は前記環状ギヤと噛み合うことを特徴とする請求項２に記載のタオル脱水マシン。
【手続補正２】
【補正対象書類名】明細書
【補正対象項目名】全文
【補正方法】変更
【補正の内容】
【発明の詳細な説明】
【技術分野】
【０００１】
本発明は脱水分野に関し、具体的にはタオル脱水マシンに関する。
【背景技術】
【０００２】
高級感を持つホテルの飲食業においては、清潔面を考慮すると、常時熱いタオルを提供しており、需要が極めて大きい。しかし、顧客に手と口などを拭き心地のいいタオルを提供するために、一般には、タオルをお湯に浸け、しばらくタオルをお湯から取り出して絞るという流れである。そういう方法は、お湯の温度が高いため、やけどしやすい上に時間もかかる。以上の問題を解決するために、自動化のタオル絞りマシンがかなり必要である。
【先行技術文献】
【特許文献】
【０００３】
【特許文献１】中国特許出願公開第１０７１６６８８５号明細書
【発明の概要】
【発明が解決しようとする課題】
【０００４】
本発明の目的はタオル脱水マシンを提供し、既存の技術にある上記の欠陥を補うことにある。
【課題を解決するための手段】
【０００５】
本発明のタオル脱水マシンは、地面に固定的に設置される絞り箱を含み、前記絞り箱の中には折畳チャンバが設置され、前記折畳チャンバの上端には進入溝が連通して設置され、前記進入溝の中にタオルを入れることができ、前記折畳チャンバの下端には下端伝動チャンバが設けられ、前記下端伝動チャンバの左右両端には傘歯車伝動チャンバが対称的に設置され、対称の前記傘歯車伝動チャンバと前記下端伝動チャンバの中にはメイン伝動部品が設けられ、前記メイン伝動部品が設備全体の連係運転を制御しており、前記折畳チャンバと前記下端伝動チャンバの中には絞り部品が設けられ、前記絞り部品に入ったタオルを絞ることができ、脱水の機能を果たし、左端の前記傘歯車伝動チャンバの上端には前記絞り箱の中に位置する左摩擦チャンバが設けられ、右端の前記傘歯車伝動チャンバの上端には右摩擦チャンバが設けられ、前記左摩擦チャンバと前記右摩擦チャンバの中には伝動部品が設けられ、前記伝動部品が設備の運転している時に需要に応じて順次作動することができ、設備の運転を平穏且つ規則化にさせ、前記左摩擦チャンバの上端には歯車伝動チャンバが設けられ、前記歯車伝動チャンバの上端には積載ブロックチャンバが連通して設置され、前記歯車伝動チャンバと、前記折畳チャンバと前記積載ブロックチャンバの中には折畳部品が設けられ、前記右摩擦チャンバの上端には前記絞り箱の中に位置するタービン羽根チャンバが設けられ、前記折畳チャンバと、前記タービン羽根チャンバと前記右摩擦チャンバの中には折畳補助部品が設けられ、前記折畳補助部品が前記折畳部品の折畳に補助でき、これにより前記タオルを前記絞り部品の中に進入させ、また、前記右摩擦チャンバの中には絞り駆動部品が設けられる。
【０００６】
さらなる技術プランとして、前記メイン伝動部品は左端の前記傘歯車伝動チャンバの左端壁の中に植設される回転モータを含み、前記回転モータの出力軸の右端には順次に左側の前記傘歯車伝動チャンバ、前記下端伝動チャンバ、右側の前記傘歯車伝動チャンバを経由し、且つ左側の前記傘歯車伝動チャンバ、前記下端伝動チャンバ、右側の前記傘歯車伝動チャンバの内壁と回転できるように連結される横軸が連結され、前記横軸にはそれぞれ左右両側の前記傘歯車伝動チャンバの中に位置する受動傘歯車が左右対称的に設置され、前記絞り部品が前記下端伝動チャンバの下端壁と回転できるように連結される下端回転軸を含み、前記下端回転軸には前記横軸と噛み合うタービン羽根伝動ブロックが固定的に設置され、前記下端回転軸の上端には前記絞り箱とスライドできるように連結され、且つ上端が前記折畳チャンバの中へ挿入されるねじ山付プッシュブロックがねじ山によって連結され、前記折畳チャンバの左右端壁の間には安定スライダがスライドできるように設置され、前記安定スライダの中には回転ブロックが回転できるように連結され、前記回転ブロックの円周側の弧状端面には環状ギヤが固定的に連結され、前記回転ブロックの中には上方に開口した挿入チャンバが設置され、前記挿入チャンバにはばね固定チャンバが連通するように矩形に配置され、前記挿入チャンバの前後端壁の間には左右対称の押圧ブロックがスライドできるように連結され、前記押圧ブロックのうち前記挿入チャンバから離れている一端と、前記ばね固定チャンバとの間がばねにより連結され、前記押圧ブロックの下端面が前記ねじ山付プッシュブロックの上端面と当接する。
【０００７】
さらなる技術プランとして、前記伝動部品は前記受動傘歯車の上端面と噛み合うサブ受動傘歯車を含み、左右対称的に設置されるサブ受動傘歯車の上端にはそれぞれ前記左摩擦チャンバ及び前記右摩擦チャンバの中に挿入される短軸が固定的に設置され、前記短軸にはスプラインが固定的に設置され、前記左摩擦チャンバ又は前記右摩擦チャンバの中の前記スプラインにはそれぞれ前記左摩擦チャンバ又は前記右摩擦チャンバの左右端壁とねじ山によって連結される雄ねじブロックが噛合、前記雄ねじブロックの上端面には下摩擦ブロックが固定的に設置され、前記下摩擦ブロックの上端には前記左摩擦チャンバの中に位置する上摩擦ブロックが設置され、前記折畳部品が左端の前記上摩擦ブロックに固定的に設置されるねじりばね固定軸を含み、前記ねじりばね固定軸の上端が前記歯車伝動チャンバの中に挿入され、且つ噛合傘歯車と固定的に連結され、前記ねじりばね固定軸と前記左摩擦チャンバの上端壁との間にはねじりばねが設置され、前記噛合傘歯車の上端には前記歯車伝動チャンバの中で回転できる垂直傘歯車が噛合、前記垂直傘歯車の前端には前記歯車伝動チャンバの中で回転できる転がり歯車が同軸によって連結され、前記転がり歯車の上端には積載ブロックが噛み合って連結され、前記積載ブロックの左端には前記積載ブロックチャンバの左端面に固定的に設置される安定レバーがスライドできるように連結され、前記積載ブロックの中にはチャンバが固定的に設置され、前記チャンバの左端壁にはシリンダーが植設され、前記シリンダーの出力軸の右端には前記チャンバの端壁とスライドできるように連結されるシリンダープッシュブロックが固定的に設置され、前記シリンダープッシュブロックの右端にはプッシュレバーが上下対称的で固定的に設置され、前記プッシュレバーの右端が前記積載ブロックの右側端面外まで伸びており、且つ前記折畳チャンバの中でスライドできるスライダと固定的に連結され、前記積載ブロックの右端壁には前記スライダとスライドできるように連結される固定レバーが固定的に設置され、前記固定レバーの右端面には固定ブロックが固定的に設置され、前記固定ブロックには折畳レバーが上下対称的に、且つ回転できるように連結され、前記折畳レバーと前記スライダとの間にはスイングレバーが回転できるように連結される。
【０００８】
さらなる技術プランとして、前記折畳補助部品は前記右摩擦チャンバの中に位置する上摩擦ブロックを含み、前記上摩擦ブロックの上端には前記タービン羽根チャンバに回転しながら挿入され、且つ前記タービン羽根チャンバの上端壁と回転できるように連結されるねじりばねタービン軸が固定的に設置され、前記ねじりばねタービン軸と前記タービン羽根チャンバの上端壁との間にはねじりばねが設置され、前記ねじりばねタービン軸には前記タービン羽根チャンバの右端壁と回転できるように連結されるタービン羽根ブロックが噛合、前記タービン羽根ブロックの左端には左端が前記折畳チャンバの中に挿入されるガイドレバーがねじ山によって連結され、
使用する時、前記折畳補助部品は前記折畳部品を補助して前記タオルを折り畳み、絞ることを必要となる時、前記タービン羽根ブロックが前記ガイドレバーを駆動して右へ運動させる。
【０００９】
さらなる技術プランとして、前記絞り駆動部品は前記ねじりばねタービン軸に固定的に設置される主動歯車を含み、前記主動歯車が前記右摩擦チャンバの中に位置し、前記主動歯車の左端には前記右摩擦チャンバの端壁と回転できるように連結される受動歯車が噛み合い、前記受動歯車は前記環状ギヤと噛み合う。
【発明の効果】
【００１０】
本発明の有益効果は：本発明設備は構造が簡単で、使用が便利であり、タオルを装置に放置する時、装置はタオルの存在を自動的に感応でき更に起動し、タオルを折り畳み、同時にタオルをきつく挟み、その後回転によりタオルの水分を取り除き、タオルを絞り上げた後に設備が逆方向に運動し、設備を再び初期位置に戻らせ、今度の使用に便利を与え、設備の安定性を効果的に増加する。
【図面の簡単な説明】
【００１１】
【図１】図１は本発明のタオル脱水マシンの全体構造概略図
【図２】図２は図１のＡの拡大構造概略図
【図３】図３は図１のＢの拡大構造概略図
【図４】図４は図２のＣ−Ｃ方向の構造概略図
【図５】図５は図３のＤ−Ｄ方向の構造概略図
【発明を実施するための形態】
【００１２】
下記に図１〜５を合わせて本発明について詳しく説明する。意思疎通の便利を図って、下記に記載の上下左右前後方向は図１の投影関係の上下左右前後方向と一致している。
【００１３】
図１〜５に示すように、本発明のタオル脱水マシンは、地面に固定的に設置される絞り箱１００を含み、前記絞り箱１００の中には折畳チャンバ１１６が設置され、前記折畳チャンバ１１６の上端には進入溝１１４が連通して設置され、前記進入溝１１４の中にタオル１１５を入れることができ、前記折畳チャンバ１１６の下端には下端伝動チャンバ１４６が設けられ、前記下端伝動チャンバ１４６の左右両端には傘歯車伝動チャンバ１２３が対称的に設置され、対称の前記傘歯車伝動チャンバ１２３と前記下端伝動チャンバ１４６の中にはメイン伝動部品が設けられ、前記メイン伝動部品が設備全体の連係運転を制御しており、前記折畳チャンバ１１６と前記下端伝動チャンバ１４６の中には絞り部品が設けられ、前記絞り部品に入ったタオルを絞ることができ、脱水の機能を果たし、左端の前記傘歯車伝動チャンバ１２３の上端には前記絞り箱１００の中に位置する左摩擦チャンバ１０８が設けられ、右端の前記傘歯車伝動チャンバ１２３の上端には右摩擦チャンバ１５２が設けられ、前記左摩擦チャンバ１０８と前記右摩擦チャンバ１５２の中には伝動部品が設けられ、前記伝動部品が設備の運転している時に需要に応じて順次作動することができ、設備の運転を平穏且つ規則化にさせ、前記左摩擦チャンバ１０８の上端には歯車伝動チャンバ１１０が設けられ、前記歯車伝動チャンバ１１０の上端には積載ブロックチャンバ１２６が連通して設置され、前記歯車伝動チャンバ１１０と、前記折畳チャンバ１１６と前記積載ブロックチャンバ１２６の中には折畳部品が設けられ、前記右摩擦チャンバ１５２の上端には前記絞り箱１００の中に位置するタービン羽根チャンバ１１９が設けられ、前記折畳チャンバ１１６と、前記タービン羽根チャンバ１１９と前記右摩擦チャンバ１５２の中には折畳補助部品が設けられ、前記折畳補助部品が前記折畳部品の折畳に補助でき、これにより前記タオル１１５を前記絞り部品の中に進入させ、また、前記右摩擦チャンバ１５２の中には絞り駆動部品が設けられる。
【００１４】
有益なまた例を示すように、前記メイン伝動部品は左端の前記傘歯車伝動チャンバ１２３の左端壁の中に植設される回転モータ１０１を含み、前記回転モータ１０１の出力軸の右端には順次に左側の前記傘歯車伝動チャンバ１２３、前記下端伝動チャンバ１４６、右側の前記傘歯車伝動チャンバ１２３を経由し、且つ左側の前記傘歯車伝動チャンバ１２３、前記下端伝動チャンバ１４６、右側の前記傘歯車伝動チャンバ１２３の内壁と回転できるように連結される横軸１３６が連結され、前記横軸１３６にはそれぞれ左右両側の前記傘歯車伝動チャンバ１２３の中に位置する受動傘歯車１２４が左右対称的に設置され、前記絞り部品が前記下端伝動チャンバ１４６の下端壁と回転できるように連結される下端回転軸１３５を含み、前記下端回転軸１３５には前記横軸１３６と噛み合うタービン羽根伝動ブロック１４２が固定的に設置され、前記下端回転軸１３５の上端には前記絞り箱１００とスライドできるように連結され、且つ上端が前記折畳チャンバ１１６の中へ挿入されるねじ山付プッシュブロック１４１がねじ山によって連結され、前記折畳チャンバ１１６の左右端壁の間には安定スライダ１３７がスライドできるように設置され、前記安定スライダ１３７の中には回転ブロック１３９が回転できるように連結され、前記回転ブロック１３９の円周側の弧状端面には環状ギヤ１４０が固定的に連結され、前記回転ブロック１３９の中には上方に開口した挿入チャンバ１５０が設置され、前記挿入チャンバ１５０にはばね固定チャンバ１４８が連通するように矩形に配置され、前記挿入チャンバ１５０の前後端壁の間には左右対称の押圧ブロック１５１がスライドできるように連結され、前記押圧ブロック１５１のうち前記挿入チャンバ１５０から離れている一端と、前記ばね固定チャンバ１４８との間がばねにより連結され、前記押圧ブロック１５１の下端面が前記ねじ山付プッシュブロック１４１の上端面と当接する。
【００１５】
有益なまた例を示すように、前記伝動部品は前記受動傘歯車１２４の上端面と噛み合うサブ受動傘歯車１０２を含み、左右対称的に設置されるサブ受動傘歯車１０２の上端にはそれぞれ前記左摩擦チャンバ１０８及び前記右摩擦チャンバ１５２の中に挿入される短軸１０３が固定的に設置され、前記短軸１０３にはスプライン１０４が固定的に設置され、前記左摩擦チャンバ１０８又は前記右摩擦チャンバ１５２の中の前記スプライン１０４にはそれぞれ前記左摩擦チャンバ１０８又は前記右摩擦チャンバ１５２の左右端壁とねじ山によって連結される雄ねじブロック１０５が噛合、前記雄ねじブロック１０５の上端面には下摩擦ブロック１０６が固定的に設置され、前記下摩擦ブロック１０６の上端には前記左摩擦チャンバ１０８の中に位置する上摩擦ブロック１０７が設置され、前記折畳部品が左端の前記上摩擦ブロック１０７に固定的に設置されるねじりばね固定軸１０９を含み、前記ねじりばね固定軸１０９の上端が前記歯車伝動チャンバ１１０の中に挿入され、且つ噛合傘歯車１１１と固定的に連結され、前記ねじりばね固定軸１０９と前記左摩擦チャンバ１０８の上端壁との間にはねじりばねが設置され、前記噛合傘歯車１１１の上端には前記歯車伝動チャンバ１１０の中で回転できる垂直傘歯車１１２が噛合、前記垂直傘歯車１１２の前端には前記歯車伝動チャンバ１１０の中で回転できる転がり歯車１１３が同軸によって連結され、前記転がり歯車１１３の上端には積載ブロック１２７が噛み合って連結され、前記積載ブロック１２７の左端には前記積載ブロックチャンバ１２６の左端面に固定的に設置される安定レバー１２５がスライドできるように連結され、前記積載ブロック１２７の中にはチャンバ１５３が固定的に設置され、前記チャンバ１５３の左端壁にはシリンダー１２８が植設され、前記シリンダー１２８の出力軸の右端には前記チャンバ１５３の端壁とスライドできるように連結されるシリンダープッシュブロック１２９が固定的に設置され、前記シリンダープッシュブロック１２９の右端にはプッシュレバー１３０が上下対称的で固定的に設置され、前記プッシュレバー１３０の右端が前記積載ブロック１２７の右側端面外まで伸びており、且つ前記折畳チャンバ１１６の中でスライドできるスライダ１３１と固定的に連結され、前記積載ブロック１２７の右端壁には前記スライダ１３１とスライドできるように連結される固定レバー１３４が固定的に設置され、前記固定レバー１３４の右端面には固定ブロック１３３が固定的に設置され、前記固定ブロック１３３には折畳レバー１３２が上下対称的に、且つ回転できるように連結され、前記折畳レバー１３２と前記スライダ１３１との間にはスイングレバー１４７が回転できるように連結される。
【００１６】
有益なまた例を示すように、前記折畳補助部品は前記右摩擦チャンバ１５２の中に位置する上摩擦ブロック１０７を含み、前記上摩擦ブロック１０７の上端には前記タービン羽根チャンバ１１９に回転しながら挿入され、且つ前記タービン羽根チャンバ１１９の上端壁と回転できるように連結されるねじりばねタービン軸１１８が固定的に設置され、前記ねじりばねタービン軸１１８と前記タービン羽根チャンバ１１９の上端壁との間にはねじりばねが設置され、前記ねじりばねタービン軸１１８には前記タービン羽根チャンバ１１９の右端壁と回転できるように連結されるタービン羽根ブロック１２０が噛合、前記タービン羽根ブロック１２０の左端には左端が前記折畳チャンバ１１６の中に挿入されるガイドレバー１１７がねじ山によって連結され、
使用する時、前記折畳補助部品は前記折畳部品を補助して前記タオル１１５を折り畳み、絞ることを必要となる時、前記タービン羽根ブロック１２０が前記ガイドレバー１１７を駆動して右へ運動させる。
【００１７】
有益なまた例を示すように、前記絞り駆動部品は前記ねじりばねタービン軸１１８に固定的に設置される主動歯車１２１を含み、前記主動歯車１２１が前記右摩擦チャンバ１５２の中に位置し、前記主動歯車１２１の左端には前記右摩擦チャンバ１５２の端壁と回転できるように連結される受動歯車１２２が噛み合い、前記受動歯車１２２は前記環状ギヤ１４０と噛み合う。
【００１８】
本発明は初期状態の時、前記回転モータ１０１と前記シリンダー１２８が作動停止状態にあり、前記下摩擦ブロック１０６が前記左摩擦チャンバ１０８と前記右摩擦チャンバ１５２との下端に位置し、これにより上記構成を初期状態の時に最初の位置に位置させ、後続の作動中に調整でき、設備の作動協調度を効果的に高める。
【００１９】
設備が運転する時、前記タオル１５５の一端を前記進入溝１４４の中から下へ前記折畳チャンバ１１６の中に入れ、前記シリンダー１２８が作動し、前記シリンダープッシュブロック１２９を駆動して右へ運動させ、前記プッシュレバー１３０を右へ運動させる前記スライダ１３１が右へ運動し、これにより前記スイングレバー１４７が前記折畳レバー１３２を押し動かし、前記ガイドレバー１１７の遮断の補助により前記タオル１１５を折り畳み、前記回転モータ１０１が作動し、前記横軸１３６を駆動して回転させ、前記横軸１３６が前記タービン羽根伝動ブロック１４２を駆動して回転させ、前記タービン羽根伝動ブロック１４２が前記下端回転軸１３５を駆動して回転させ、これにより前記下端回転軸１３５とねじ山によって連結される前記ねじ山付プッシュブロック１４１を上へ運動させ、前記押圧ブロック１３８と、前記回転ブロック１３９と前記環状ギヤ１４０を押し動かして前記安定スライダ１３７の案内で上へ運動させ、折り畳んだ前記タオル１１５を前記挿入チャンバ１５０の中に進入して前記押圧ブロック１３８の間に位置させ、同時に、前記横軸１３６が左右対称の前記受動傘歯車１２４を駆動して回転させ、噛み合った前記サブ受動傘歯車１０２を回転させ、これにより前記スプライン１０４が前記雄ねじブロック１０５を駆動して回転させ、これにより前記雄ねじブロック１０５が回転しながら前記下摩擦ブロック１０６を駆動して上へ運動し前記上摩擦ブロック１０７と噛み合わせ、前記上摩擦ブロック１０７が回転し、前記ねじりばね固定軸１０９と前記噛合傘歯車１１１とを駆動して回転させ、前記垂直傘歯車１１２が運動を前記転がり歯車１１３に伝達し、前記転がり歯車１１３が前記積載ブロック１２７を駆動して左へスライドさせて前記折畳レバー１３２を前記タオル１１５から離脱し、同時に右端の前記右摩擦チャンバ１５２の中において、前記上摩擦ブロック１０７が前記ねじりばねタービン軸１１８を駆動して回転させ、これにより前記ねじりばねタービン軸１１８と噛み合う前記タービン羽根ブロック１２０を回転させ、前記タービン羽根１２０とねじ山によって連結される前記ガイドレバー１１７を駆動して右へスライドさせて前記タオル１１５から離脱し、同時に、前記ねじりばねタービン軸１１８が前記主動歯車１２１を駆動して回転させ、これにより前記主動歯車１２１と噛み合う前記受動歯車１２２を回転させ、前記受動歯車１２２が上へ運動している前記絞り部品のうち前記受動歯車１２２と噛み合う前記環状ギヤ１４０を駆動して回転させ、前記環状ギヤ１４０が前記回転ブロック１３９を駆動して回転させ、前記回転ブロック１３９が前記回転ブロック１３９とスライドできるように連結される前記押圧ブロック１３８を駆動して回転させ、これにより前記押圧ブロック１３８に挟まれている前記タオル１１５を回転させて絞り上げる。
【００２０】
以上に述べたのはただ本実用新型のより良い実施例で、本実用新型を限定することに使わないである。本実用新型の意義と原則のもとで行う全ての修正、同等の入れ替えと改善などは本実用新型の保護範囲に含まれる。